(57)【要約】【課題】対訳テンプレートを用いて生成した複数の文を用いて文章を作成可能な翻訳装置を提供する。【解決手段】翻訳装置１は、第１言語による第１原文を翻訳することにより得られる第２言語による第１訳文と、第１言語による第２原文を翻訳することにより得られる第２言語による第２訳文とを出力部１１に表示させる表示制御部２５と、入力部１０を介して、第１訳文と第２訳文とを接続するための第１指示、および当該接続の態様を指定する第２指示を受け付ける受付部３１と、第１指示および第２指示に基づいて、第１訳文と第２訳文とを接続する接続部３３とを備える。表示制御部２５は、接続後の文章を出力部１１に表示させる。【選択図】図１
2011048576.tif 000002
【特許請求の範囲】
【請求項１】
対訳テンプレートを用いて第１言語による原文を第２言語による訳文に翻訳する情報処理装置であって、
前記第１言語による第１原文を翻訳することにより得られる前記第２言語による第１訳文と、前記第１言語による第２原文を翻訳することにより得られる前記第２言語による第２訳文とを表示装置に表示させる表示制御手段と、
入力装置を介して、前記第１訳文と前記第２訳文とを接続するための第１指示、および当該接続の態様を指定する第２指示を受け付ける受付手段と、
前記第１指示および前記第２指示に基づいて、前記第１訳文と前記第２訳文とを接続する接続手段とを備え、
前記表示制御手段は、前記接続後の文章を前記表示装置に表示させる、情報処理装置。
【請求項２】
前記受付手段は、前記入力装置を介して、前記第１訳文の内容を変更するための第３指示をさらに受け付け、
前記情報処理装置は、
前記第３指示に基づき、前記第１訳文の内容を変更する変更手段をさらに備え、
前記受付手段は、前記第１指示として、前記変更後の第１訳文と、前記第２訳文とを接続するための指示をさらに受け付ける、請求項１に記載の情報処理装置。
【請求項３】
前記受付手段は、前記第３指示として、前記第２訳文の内容を変更するための指示をさらに受け付け、
前記変更手段は、前記第２訳文の内容を変更するための指示に基づき、前記第２訳文の内容を変更し、
前記受付手段は、前記第１指示として、前記変更後の第１訳文と、前記変更後の第２訳文とを接続するための指示をさらに受け付ける、請求項２に記載の情報処理装置。
【請求項４】
前記情報処理装置は、
複数の接続詞を格納した記憶装置をさらに備え、
前記接続手段は、前記複数の接続詞のうちの前記第２指示に基づく接続詞を用いて、前記変更後の第１訳文と、前記変更後の第２訳文とを接続する、請求項３に記載の情報処理装置。
【請求項５】
前記受付手段は、前記入力装置を介して、前記変更後の第１訳文と、前記変更後の第２訳文との接続の順番を指定する第４指示をさらに受け付け、
前記接続手段は、前記第４指示に基づき、前記変更後の第１訳文と、前記変更後の第２訳文とを前記順番で接続する、請求項３または４に記載の情報処理装置。
【請求項６】
前記第３指示は、前記第１訳文および前記第２訳文について、時制を変更する指示、並びに、肯定文、否定文、および疑問文のいずれかへの変更する指示のうちのいずれかの指示である、請求項３から５のいずれかに記載の情報処理装置。
【請求項７】
前記記憶装置は、前記接続詞として、１つ以上の等位接続詞および１つ以上の従属接続詞を格納しており、
前記第２指示は、前記１つ以上の等位接続詞および前記１つ以上の従属接続詞のうちのいずれかの接続詞の指定を含む指示である、請求項４に記載の情報処理装置。
【請求項８】
対訳テンプレートを用いて第１言語による原文を第２言語による訳文に翻訳する情報処理装置における訳文接続方法であって、
前記第１言語による第１原文を翻訳することにより得られた前記第２言語による第１訳文と、前記第１言語による第２原文を翻訳することにより得られた前記第２言語による第２訳文とを表示装置に表示させるステップと、
入力装置を介して、前記第１訳文と前記第２訳文とを接続するための第１指示、および当該接続の態様を指定する第２指示を受け付けるステップと、
前記第１指示および前記第２指示に基づいて、前記第１訳文と前記第２訳文とを接続するステップと、
前記接続後の文章を前記表示装置に表示させるステップとを備える、訳文接続方法。
【請求項９】
対訳テンプレートを用いて第１言語による原文を第２言語による訳文に翻訳する情報処理装置において実行されるプログラムであって、
前記プログラムは、
前記第１言語による第１原文を翻訳することにより得られた前記第２言語による第１訳文と、前記第１言語による第２原文を翻訳することにより得られた前記第２言語による第２訳文とを表示装置に表示させるステップと、
入力装置を介して、前記第１訳文と前記第２訳文とを接続するための第１指示、および当該接続の態様を指定する第２指示を受け付けるステップと、
前記第１指示および前記第２指示に基づいて、前記第１訳文と前記第２訳文とを接続するステップと、
前記接続後の文章を前記表示装置に表示させるステップとを前記情報処理装置に実行させる、プログラム。
【発明の詳細な説明】
【技術分野】
【０００１】
本発明は、対訳文を表示可能な情報処理装置、訳文接続方法、およびプログラムに関する。
【背景技術】
【０００２】
従来、対訳テンプレートを用いて所定の目的言語による文を作成する機械翻訳装置が知られている。
【０００３】
特許文献１には、上記機械翻訳装置として、以下の文作成支援装置が開示されている。当該文作成支援装置においては、ユーザが作成しようとしている文の主動詞の役割を果たす述語が入力されると、文構造フレーム検索部が当該述語の取りうる文構造フレームを文構造フレームデータベース記憶部から検索して一覧表示する。その一覧から１つの文構造フレームのスロットが選択され名詞句が入力されると、名詞句解析部が当該名詞句から主要語を抽出して、当該主要語の意味情報を解析用文法・辞書記憶部から取り出して意味情報照合部に渡す。名詞句解析部からの意味情報と当該スロットの意味制約情報が一致すると、編集制御部が当該スロットの名詞句として確定する。全スロットの名詞句が確定されると、目的文の作成が完了する。
【先行技術文献】
【特許文献】
【０００４】
【特許文献１】特開平１１−３２８１８０号公報
【発明の概要】
【発明が解決しようとする課題】
【０００５】
しかしながら、特許文献１の文作成支援装置では、目的文を作成することができるが、作成した複数の目的文を用いて文章を作成することはできない。
【０００６】
本願発明は、上記問題点に鑑みなされたものであって、その目的は、対訳テンプレートを用いて生成した複数の文を用いて文章を作成可能な情報処理装置、訳文接続方法、およびプログラムを提供することにある。
【課題を解決するための手段】
【０００７】
本発明のある局面に従うと、情報処理装置は、対訳テンプレートを用いて第１言語による原文を第２言語による訳文に翻訳する情報処理装置であって、第１言語による第１原文を翻訳することにより得られる第２言語による第１訳文と、第１言語による第２原文を翻訳することにより得られる第２言語による第２訳文とを表示装置に表示させる表示制御手段と、入力装置を介して、第１訳文と第２訳文とを接続するための第１指示、および当該接続の態様を指定する第２指示を受け付ける受付手段と、第１指示および第２指示に基づいて、第１訳文と第２訳文とを接続する接続手段とを備える。表示制御手段は、接続後の文章を表示装置に表示させる。
【０００８】
好ましくは、受付手段は、入力装置を介して、第１訳文の内容を変更するための第３指示をさらに受け付ける。情報処理装置は、第３指示に基づき、第１訳文の内容を変更する変更手段をさらに備える。受付手段は、第１指示として、変更後の第１訳文と、第２訳文とを接続するための指示をさらに受け付ける。
【０００９】
好ましくは、受付手段は、第３指示として、第２訳文の内容を変更するための指示をさらに受け付ける。変更手段は、第２訳文の内容を変更するための指示に基づき、第２訳文の内容を変更する。受付手段は、第１指示として、変更後の第１訳文と、変更後の第２訳文とを接続するための指示をさらに受け付ける。
【００１０】
好ましくは、情報処理装置は、複数の接続詞を格納した記憶装置をさらに備える。接続手段は、複数の接続詞のうちの第２指示に基づく接続詞を用いて、変更後の第１訳文と、変更後の第２訳文とを接続する。
【００１１】
好ましくは、受付手段は、入力装置を介して、変更後の第１訳文と、変更後の第２訳文との接続の順番を指定する第４指示をさらに受け付ける。接続手段は、第４指示に基づき、変更後の第１訳文と、変更後の第２訳文とを順番で接続する。
【００１２】
好ましくは、第３指示は、第１訳文および第２訳文について、時制を変更する指示、並びに、肯定文、否定文、および疑問文のいずれかへの変更する指示のうちのいずれかの指示である。
【００１３】
好ましくは、記憶装置は、さらに、１つ以上の等位接続詞および１つ以上の従属接続詞をさらに格納している。第２指示は、１つ以上の等位接続詞および１つ以上の従属接続詞のうちのいずれかの接続詞の指定を含む指示である。
【００１４】
本発明の他の局面に従うと、訳文接続方法は、対訳テンプレートを用いて第１言語による原文を第２言語による訳文に翻訳する情報処理装置における訳文接続方法であって、第１言語による第１原文を翻訳することにより得られた第２言語による第１訳文と、第１言語による第２原文を翻訳することにより得られた第２言語による第２訳文とを表示装置に表示させるステップと、入力装置を介して、第１訳文と第２訳文とを接続するための第１指示、および当該接続の態様を指定する第２指示を受け付けるステップと、第１指示および第２指示に基づいて、第１訳文と第２訳文とを接続するステップと、接続後の文章を表示装置に表示させるステップとを備える。
【００１５】
本発明のさらに他の局面に従うと、プログラムは、対訳テンプレートを用いて第１言語による原文を第２言語による訳文に翻訳する情報処理装置において実行されるプログラムであって、プログラムは、第１言語による第１原文を翻訳することにより得られた第２言語による第１訳文と、第１言語による第２原文を翻訳することにより得られた第２言語による第２訳文とを表示装置に表示させるステップと、入力装置を介して、第１訳文と第２訳文とを接続するための第１指示、および当該接続の態様を指定する第２指示を受け付けるステップと、第１指示および第２指示に基づいて、第１訳文と第２訳文とを接続するステップと、接続後の文章を表示装置に表示させるステップとを情報処理装置に実行させる。
【発明の効果】
【００１６】
対訳テンプレートを用いて生成した複数の文を用いて文章を作成できるといった効果を奏する。
【図面の簡単な説明】
【００１７】
【図１】本発明の実施の形態に係る翻訳装置の概略構成を示した図である。
【図２】上記翻訳装置の記憶装置に記憶されているデータを示した図である。
【図３】上記記憶装置に記憶されたテンプレートデータベースに含まれるテンプレートデータの構成を示した図である。
【図４】上記記憶装置に記憶された辞書データベースに含まれる辞書データの構成を示した図である。
【図５】上記記憶装置に記憶された日本語活用形テーブルを示した図である。
【図６】上記記憶装置に記憶されたカテゴリデータベースに含まれるカテゴリデータの構成を示した図である。
【図７】上記記憶装置に記憶されたシソーラスデータの階層構造の一部を示した図である。
【図８】上記カテゴリデータベースに含まれる他のカテゴリデータの構成を示した図である。
【図９Ａ】上記記憶装置に記憶された共起関係データベースに含まれる共起関係データの構成を示した図である。
【図９Ｂ】上記記憶装置に記憶された共起関係データベースに含まれる他の共起関係データの構成を示した図である。
【図１０】翻訳装置のメモリ内の各バッファを示した図である。
【図１１】上記翻訳装置の具体的構成の一態様を示した図である。
【図１２】上記翻訳装置における処理の概略を示したフローチャートである。
【図１３】テンプレート検索における処理の流れを示したフローチャートである。
【図１４】抽出語句バッファに記憶されるデータの構成を示した図である。
【図１５】文例作成処理における処理の流れを示したフローチャートである。
【図１６】テンポラリテンプレートバッファに記憶されたテンポラリテンプレートデータの構成を示した図である。
【図１７】処理文格納バッファに記憶されたテンプレートデータを示した図である。
【図１８】スロット部用バッファに記憶されたデータを示した図である。
【図１９】共起部用バッファに記憶されたデータを示した図である。
【図２０Ａ】テンプレートデータのスロット部の処理フローにおける前半の処理フローを示したフローチャートである。
【図２０Ｂ】テンプレートデータのスロット部の処理フローにおける後半の処理フローを示したフローチャートである。
【図２１】テンポラリスロットバッファに記憶されたスロット情報の構成を示した図である。
【図２２】テンポラリ辞書バッファに記憶された辞書データを示した図である。
【図２３】テンポラリ語句バッファに記憶されたデータを示した図である。
【図２４】上記テンポラリ語句バッファに記憶された、語形変化を行った後のデータを示した図である。
【図２５】上記処理文格納バッファに記憶された、スロット部における置換処理の途中状態のテンプレートデータを示した図である。
【図２６】上記スロット部用バッファに記憶された、スロット部における置換処理の途中状態のスロット情報を示した図である。
【図２７】上記処理文格納バッファに記憶された、スロット部の置換処理が完了した状態におけるテンプレートデータを示した図である。
【図２８】上記スロット部用バッファに記憶された、スロット部の置換処理が完了した状態におけるスロット情報を示した図である。
【図２９Ａ】テンプレートデータの共起部の処理フローにおける前半の処理フローを示したフローチャートである。
【図２９Ｂ】テンプレートデータの共起部の処理フローにおける後半の処理フローを示したフローチャートである。
【図３０】テンポラリ第１共起バッファ８１に記憶された共起情報を示した図である。
【図３１】テンポラリ第１共起バッファ８１に記憶された他の共起情報の構成を示した図である。
【図３２】上記テンポラリスロットバッファに記憶されたスロット情報の構成を示した図である。
【図３３】上記テンポラリ語句バッファに記憶されたデータを示した図である。
【図３４】上記処理文格納バッファに記憶された、共起部における置換処理の途中状態のテンプレートデータを示した図である。
【図３５】優先共起バッファに記憶された共起情報を示した図である。
【図３６】上記テンポラリスロットバッファに記憶されたスロット情報を示した図である。
【図３７】テンポラリ第２共起バッファに記憶された共起情報を示した図である。
【図３８】上記テンポラリ語句バッファに記憶された語句を示した図である。
【図３９】上記処理文格納バッファに記憶された、共起部の置換処理が完了した状態におけるテンプレートデータを示した図である。
【図４０】上記処理文格納バッファに記憶された文例データを示した図である。
【図４１】テンプレートデータベースに記憶されているテンプレートデータの構成を示した図である。
【図４２】図４１のテンプレートデータにおける日本語テンプレートのスロット部において置換される語句の例を示した図である。
【図４３】辞書データベースに記憶されておる辞書データを示した図である。
【図４４】英語の文例を作成する際のフローを示したフローチャートである。
【図４５】生成された英語テンプレートの構成を示した図である。
【図４６】テンプレートデータベースに記憶されているテンプレートデータの構成を示した図である。
【図４７】図４６に示したテンプレートデータにおける日本語テンプレートのスロット部において置換された語句の例を示した図である。
【図４８】辞書データベースに記憶されておる辞書データを示した図である。
【図４９】英語の文例を作成する際のフローを示したフローチャートである。
【図５０】生成された英語テンプレートの構成を示した図である。
【図５１】テンプレートデータベース６０に記憶されているテンプレートデータの構成を示した図である。
【図５２】図５１に示したテンプレートデータにおける日本語テンプレートのスロット部において置換される語句の例を示した図である。
【図５３】辞書データベースに記憶されておる辞書データを示した図である。
【図５４】英語の文例を作成する際のフローを示したフローチャートである。
【図５５】生成された英語テンプレートの構成を示した図である。
【図５６】他の翻訳装置の概略構成を示した図である。
【図５７】他のテンプレートデータベースに含まれる一つのテンプレートデータの構成を示した図である。
【図５８】テンプレート検索における前半の処理の流れを示したフローチャートである。
【図５９】テンプレート検索における後半の処理の流れを示したフローチャートである。
【図６０】図５８におけるステップＳ２００１の詳細の一部を示したフローチャートである。
【図６１】図５８におけるステップＳ２００１の詳細の残りの部分を示したフローチャートである。
【図６２】１度目のステップＳ２１１３の処理において、要素が書き込まれた後の要素バッファの状態を示した図である。
【図６３】処理待ちバッファに格納した後の１つのテンプレートデータを示した図である。
【図６４】処理待ちバッファに格納した後の他のテンプレートデータを示した図である。
【図６５】処理待ちバッファに格納した後のさらに他のテンプレートデータを示した図である。
【図６６】２度目のステップＳ２１１３の処理において、要素が書き込まれた後の要素バッファの状態を示した図である。
【図６７】１度目のステップＳ２１１７の処理を行なった後の、要素バッファの状態を示した図である。
【図６８】図６３のテンプレートデータを、図６７に示す要素１を用いて書き換えたテンプレートデータを示した図である。
【図６９】図６３のテンプレートデータを、図６７に示す要素２を用いて書き換えたテンプレートデータを示した図である。
【図７０】図６３のテンプレートデータを、図６７に示す要素３を用いて書き換えたテンプレートデータを示した図である。
【図７１】図６４のテンプレートデータを、図６７に示す要素１を用いて書き換えたテンプレートデータを示した図である。
【図７２】図６４のテンプレートデータを、図６７に示す要素２を用いて書き換えたテンプレートデータを示した図である。
【図７３】図６４のテンプレートデータを、図６７に示す要素３を用いて書き換えたテンプレートデータを示した図である。
【図７４】図６５のテンプレートデータを、図６７に示す要素１を用いて書き換えたテンプレートデータを示した図である。
【図７５】図６５のテンプレートデータを、図６７に示す要素２を用いて書き換えたテンプレートデータを示した図である。
【図７６】図６５のテンプレートデータを、図６７に示す要素３を用いて書き換えたテンプレートデータを示した図である。
【図７７】日本語の文、日本語の語句、または中国語の語句を示した図である。
【図７８】変更前の文と、制御部に含まれる変更部による変更後の文とを示した図である。
【図７９】図７８とは異なる変更前の文と変更後の文とを示した図である。
【図８０】接続前の文と、制御部に含まれる接続部による接続後の文とを示した図である。
【図８１】翻訳装置の具体的機能を実現するための用いるテンプレートを示した図である。
【図８２】文を変更するためのテーブルを示した図である。
【図８３】「助動詞」、「時制」、および「構文」の初期の状態を示したデータである。
【図８４】翻訳装置がユーザの指示に基づき図８３に示したデータの内容を更新した後のデータの状態を示した図である。
【図８５】図８４の変更指示データに基づき、図８１のテンプレートを図８２のテーブルを用いて変更した後のテンプレートの状態を示した図である。
【図８６】翻訳装置が図８５に示すテンプレートに基づいて生成した文を示した図である。
【図８７】翻訳装置がユーザの指示に基づき図８３に示したデータの内容を更新した後のデータの他の状態を示した図である。
【図８８】図８８の変更指示データに基づき、図８１のテンプレートを図８２のテーブルＴＢ１を用いて変更した後のテンプレートの状態を示した図である。
【図８９】翻訳装置が図８８に示すテンプレートに基づいて生成した文を示した図である。
【図９０】と文との接続に用いられるテーブルした図である。
【図９１】文と文とを接続する際に、当該文と文とを一時的に格納するテーブルを示した図である。
【図９２】ユーザが上記文変更処理と上記文接続処理とを行なうために、翻訳装置が表示する画像を示した図である。
【図９３】翻訳装置が、文と文とを生成し、当該２つの文を第１領域に表示した状態を示した図である。
【図９４】図９３の状態から、ユーザが、プルダウンメニューにより時制を選択するとともに、他のプルダウンメニューにより構文を選択した場合における画像を示した図である。
【図９５】図９４の状態から、ユーザが、ボタンを選択した場合における画像を示した図である。
【図９６】図９５の状態から、ユーザが、他のボタンを選択した場合における画像を示した図である。
【図９７】図９６の状態から、翻訳装置１が、さらに文と文とを生成し、当該２つの文を第１領域に表示した状態を示した図である。
【図９８】図９７の状態から、ユーザが、プルダウンメニューにより時制を選択し、他のプルダウンメニューにより構文を選択し、オプションメニューから１つの項目を選択した場合における画像を示した図である。
【図９９】図９８の状態から、ユーザが、ボタンを選択した場合における画像を示した図である。
【図１００】図９９の状態から、ユーザが、さらに他のプルダウンメニューにより接続情報を選択した場合における画像を示した図である。
【図１０１】ユーザが、マウス等の入力部により「sentA」を選択した後、さらに他のボタンを選択した後の状態を示した図である。
【図１０２】「sentA」として処理済文が選択された場合における、テーブルを示した図である。
【図１０３】文を「sentB」に割り当てる文として特定した場合における、テーブルＴＢ３を示した図である。
【図１０４】翻訳装置の処理の流れを示すフローチャートである。
【図１０５】図１０４のステップＳ３０６に示した文変更処理の詳細を示した図である。
【図１０６】図１０４のステップＳ３０８に示した文接続処理の詳細を示した図である。
【発明を実施するための形態】
【００１８】
本実施の形態では、日本語で入力された文を、英語および中国語に翻訳する場合を例に挙げて説明する。なお、本発明は、これに限定されず、ある言語で入力された文を他の言語に翻訳する構成であれば、適用可能である。
【００１９】
日本語には「活用」といった概念がある。「活用」とは、単語が文中でその語の文法的機能や他の語への続き方に応じて、語形を変化させることをいう。また、活用する語の変化形を、「活用形」という。また、用語が活用する際に変化する語末の部分（つまり語幹以外の部分）を、「活用語尾」（inflected suffix）という。
【００２０】
以下では、＜＜１．翻訳装置の一般的機能＞＞と、＜＜２．翻訳装置の具体的機能＞＞とに分けて説明する。なお、「一般的機能」とは、「具体的機能」を説明するための前提となる機能をいう。具体的機能を実現するために、必ずしも、後述する一般的機能を全て具備する必要はない。
【００２１】
本発明に係る翻訳装置の一実施の形態について、図１から図１０６に基づいて説明すると、以下のとおりである。
【００２２】
＜＜１．翻訳装置の一般的機能＞＞
図１は、本発明の実施の形態に係る翻訳装置１の概略構成を示した図である。
【００２３】
翻訳装置１は、同図に示すとおり、入力部１０と、出力部１１と、制御部１２と、記憶装置１３と、メモリ１４とを備えている。
【００２４】
入力部１０は、ユーザからの入力を受け付けるための入力デバイスである。入力部１０を介してユーザが文の入力を行なうことにより、メモリ１４に当該入力された文が記憶される。
【００２５】
出力部１１は、制御部１２からの指示に基づき、入力部１０を介して入力されたデータ、および制御部１２における各種の処理の結果を表示するためのデバイスである。
【００２６】
制御部１２は、同図に示すとおり、抽出部２０と、データ読出部２１と、判定部２２と、選択部２３と、置換部２４と、表示制御部２５と、出力文整形部２６と、受付部３１と、変更部３２と、接続部３３とを備えている。また、置換部２４は、辞書検索部４０と、スロット置換部４１と、共起置換部４２と、変化形探索部４３と、未入力箇所置換部４４とを備えている。なお、受付部３１と、変更部３２と、接続部３３とについては、後述する「＜＜２．翻訳装置の具体的機能＞＞」において説明する。
【００２７】
なお、制御部１２および制御部１２内の各部は機能ブロックであり、これらのブロックにおける処理は、後述するＣＰＵ（Central Processing Unit）により実行されるソフトウェアによって実現される。
【００２８】
抽出部２０は、入力部１０を介して日本語（第１言語）で入力された文から、所定の規則にしたがって語句を抽出する。例えば、日本語による文Ｗ１１（図７７参照）が入力部１０を介して入力された場合、抽出部２０は、例えば形態素解析を行なうことにより、語句Ｗ１２（名詞）、語句Ｗ１３（名詞）、および語句Ｗ１４（動詞）といった３つの語句（形態素）を抽出する。なお、図７７は、日本語の文、日本語の語句、または中国語の語句を示した図である。
【００２９】
ここで、語句とは語や句を意味し、語句の中には単語（一般に文を構成する最小単位で、特定の意味や文法上の職能を有するものと定義されているもの）や複合語（一般に２個以上の語が結び付いて１つの意味を表すものと定義されているもの）等も含まれる。
【００３０】
データ読出部２１は、所定の指示を受けた場合、記憶装置１３に記憶された各種のデータを読み出す。例えば、データ読出部２１は、後述するテンプレートデータを記憶装置１３から読み出す。
【００３１】
判定部２２は、入力部１０を介して日本語で入力された文に含まれる語句が、後述する語句と一致するかを判定する。なお、判定部２２における判定方法の詳細については後述する。
【００３２】
選択部２３は、判定部２２の判定結果に基づいて、記憶装置１３に記憶された日本語による複数のテンプレートの中から、少なくとも一つのテンプレートを選択する。
【００３３】
置換部２４は、後述する置換処理を行なうことにより、上記選択されたテンプレートを用いて日本語による文例を作成する。さらに、置換部２４は、記憶装置１３に記憶された、上記選択されたテンプレートと対応関係にある英語（第２言語）および中国語（第２言語）によるテンプレートを用いて、英語および中国語による文例を作成する。なお、置換部２４が行なう処理の詳細と、置換部２４に含まれる各部（４０〜４３）が行なう処理とについては後述する。なお、文例とは、後述するテンプレートデータの可変部を語句に置換し終えることにより、得られる文をいう。
【００３４】
表示制御部２５は、出力部１１に対して、入力部１０を介して入力されたデータ、および翻訳装置１における各種の処理の結果を表示させる。なお、出力文整形部２６については、後述する。
【００３５】
図２は、記憶装置１３に記憶されているデータを示した図である。
記憶装置１３は、同図に示すとおり、テンプレートデータベース６０と、辞書データベース６１と、日本語活用形テーブル６２と、カテゴリデータベース６３と、シソーラスデータ６４と、共起関係データベース６５とを記憶している。
【００３６】
テンプレートデータベース６０は、後述するテンプレートデータを一つ以上含んでいる。また、辞書データベース６１は、後述する辞書データを含んでいる。また、カテゴリデータベース６３は、後述するカテゴリデータを一つ以上含んでいる。共起関係データベース６５は、後述する共起関係データを一つ以上含んでいる。
【００３７】
図３は、上記テンプレートデータベース６０に含まれる一つのテンプレートデータの構成を示した図である。同図に示すとおり、テンプレートデータは、テンプレートＩＤと、日本語によるテンプレート（以下、日本語テンプレート）と、英語によるテンプレート（以下、英語テンプレート）と、中国語によるテンプレート（以下、中国語テンプレート）とを含んでいる。
【００３８】
上記テンプレートＩＤは、テンプレートデータを他のテンプレートデータと識別する識別子である。なお、テンプレートＩＤは、テンプレートデータ毎に固有の番号が与えられている。
【００３９】
上記日本語テンプレートは、所定の語句で構成された固定部と、予め定められた複数の語句のうちの何れかの語句に置換可能な可変部とを含んでいる。同図においては、語句Ｗ１５（postpositional word functioning as an auxiliary to a main word）と、文Ｗ１６とが固定部に該当し、｛1:&HUMAN-SUBJ｝と｛2:&VB_EAT+v.ren1｝とが可変部に該当する。
【００４０】
上記英語テンプレートは、日本語テンプレートと同様に、固定部と可変部とを含んでいる。同図においては、「What」と「？」とのが固定部に該当し、｛-i:be_AUX+pres｝と｛-i:#DET_MY-NULL｝と｛1-i:&HUMAN-SUBJ｝と｛2:&VB_EAT+ing｝とが可変部に該当する。
【００４１】
また、可変部の種類として、第１可変部と第２可変部とがある。同図においては、英語テンプレート中の「1」や「2」といった数字で始まる｛1-i:&HUMAN-SUBJ｝と｛2:&VB_EAT+ing｝とが第１可変部に該当し、「-i」で始まる｛-i:be_AUX+pres｝と｛-i:#DET_MY-NULL｝とが第２可変部に該当する。なお、以下では、説明の便宜上、第１可変部をスロット部と、第２可変部を共起部と称する。
【００４２】
なお、各言語のテンプレートにおいて、「-i」が含まれている可変部は、当該可変部同士の間において共起関係があることを示している。ここで、共起関係とは、一方が決定すると他方が決定するといった関係、あるいは、一方を仮に決定しても他方との関係で当該決定内容を変更せざるを得ないような、言わば両方を共に決定していくような関係をいう。
【００４３】
上記中国語テンプレートについても、同図に示すとおり、日本語テンプレートと英語テンプレートと同様に、固定部と可変部とを含んでいる。
【００４４】
以上のように、日本語テンプレートと英語テンプレート（あるいは中国語テンプレート）とは、対応する位置に、それぞれ、所定の語句で構成された固定部と、予め定められた複数の語句のうちの何れかの語句に置換可能な可変部とを含んだ構成である。
【００４５】
また、以下では、可変部の「1」や「2」といった先頭の数字をスロット番号と称する。また、各可変部において、「：」よりも前の文字と「＋」よりも後ろの文字とを除いた部分（同図の場合には、「be_AUX」と「#DET_MY-NULL」と「&HUMAN-SUBJ」と「&VB_EAT」）をラベル（所定の識別標識）と称する。また、上記ラベルのうちスロット部に関する各ラベル（「&」で始まるラベル）を、それぞれ１つのカテゴリとする。
【００４６】
なお、上記スロット部と共起部との詳細については、後述する。
図４は、辞書データベース６１に含まれる一つの辞書データの構成を示した図である。同図に示すとおり、辞書データにおいては、辞書ＩＤと、見出しと、品詞と、活用と、助数詞コードと、意味コードとが対応付けられている。
【００４７】
上記辞書ＩＤの欄には、辞書データを他の辞書データと区別するための識別子（ＩＤ）が記載されている。また、上記見出しの欄には、日本語の語句である語句Ｗ１４（動詞）と、当該語句に対応する英語の語句「drink」と中国語の語句である語句Ｗ１７（動詞）とが記されている。さらに、上記品詞の欄には、見出しの品詞が記載されている。また、上記活用の欄には、上記各言語について上記語句の活用形に関する情報が記載されている。語句Ｗ１８の意味は、語句Ｗ１４が、語句Ｗ１９（図７７参照）が示す活用（five-tire conjugation in the ”ma” column of the kana syllabary）であることを示している。意味コードについては、後述する。
【００４８】
また、同図に示すとおり、日本語の語句に対して、英語の語句と中国語の語句とがそれぞれ一つだけ対応付けられている。
【００４９】
図５は、上記日本語活用形テーブル６２を示した図である。日本語活用形テーブル６２には、活用の種類（例えば、語句Ｗ２０（図７７参照）が示す活用（five-tire conjugation of a Japanese consonant-stem verb）、語句Ｗ２１が示す活用（conjugation of a vowel-stem verb ending in ”-eru”））と、当該活用における各活用形（例えば、語句Ｗ２２として示した活用形（form of a verb preceding ”nai”）、語句Ｗ２３として示した活用形（attributive form of a verb））で用いられる語句（例えば、語句Ｗ２４（inflected suffix）、語句Ｗ２５（inflected suffix））とが記載されている。なお、同図には、一例として、語句Ｗ１９が示す活用（つまり語句Ｗ１８（図４参照））における各活用の語句を記している。また、例えば語句Ｗ２６として示した活用形（continuative form of a verb）の語句には、「ren1」といった省略形の記号を対応付けている。
【００５０】
図６は、上記カテゴリデータベースに含まれる一つのカテゴリデータの構成を示した図である。同図に示すとおり、カテゴリデータにおいては、カテゴリＩＤとラベル名と意味コードと代表値とが対応付けてられている。
【００５１】
上記カテゴリＩＤの欄には、カテゴリデータを他のカテゴリデータと区別するための識別子が記載されている。ラベル名の欄には、テンプレートデータ（例えば、図３のテンプレートデータ）の可変部に含まれるラベルが記されている。なお、代表値については後述する。
【００５２】
図７は、シソーラスデータの階層構造の一部を示した図である。ここで、シソーラスとは、単語の上位／下位関係、部分／全体関係、同義関係、類義関係などによって単語を分類し、体系付けた辞書（語彙集）をいう。
【００５３】
まず、上記意味コードは上記ラベルに対応付けられている。例えば、同図においては、「120201」といった意味コードは、「&HUMAN-PRON_SUBJ」といったラベルに対応付けられている。
【００５４】
ここで、ラベル名として「&HUMAN-PRON_SUBJ」が与えられ、かつ意味コードとして「120201」が与えられたカテゴリデータに関しては、同図における「&HUMAN-PRON_SUBJ  (120201)」といった区分（所定の区分）に含まれるの語句が、当該カテゴリデータに含まれる語句として特定される。例えば、日本語の語句については、語句Ｗ２７（名詞）、語句Ｗ２８（名詞）、および語句Ｗ１２が特定される。
【００５５】
ここで、図６に戻り、代表値について説明する。同図に示したように、ラベル「&VB_EAT」と意味コード「52500」とが与えられたカテゴリデータには、日本語と英語と中国語との組が複数組含まれている。そして、これらの複数組のうち所定の組の各語句が、代表値として設定されている。例えば、同図では、語句Ｗ２９（動詞）、「eat」、語句Ｗ１４、「drink」、語句Ｗ１７等の語句が代表値として記されている。
【００５６】
ところで、図３に示したテンプレートデータには、可変部として、例えば｛2:&VB_EAT+v.ren1｝や｛2:&VB_EAT+ing｝が含まれている。この場合、｛2:&VB_EAT+v.ren1｝および｛2:&VB_EAT+ing｝については、上記シソーラスデータにおいて「&VB_EAT (52500)」といった区分に含まれる語句が、置換可能な語句として特定される。また、他の可変部についても同様である。
【００５７】
図８は、上記カテゴリデータベースに含まれる他のカテゴリデータの構成を示した図である。この場合、翻訳装置１は、図７に示したシソーラスデータにおいて、「&HUMAN-SUBJ」といった区分に含まれる語句を、置換可能な語句として特定する。同図に示す場合には、翻訳装置１は、例えば、日本語に関しては、語句Ｗ２７、語句Ｗ２８、語句Ｗ１２、語句Ｗ３０（名詞）等を置換可能な語句として特定する。
【００５８】
以上のように、可変部は、予め定められた複数の語句のうちの何れかの語句に置換可能な構成となっている。なお、以下では、置換可能な語句の集合を、候補とも称する。
【００５９】
図９Ａは、上記共起関係データベースに含まれる共起関係データの構成を示した図である。図９Ｂは、上記共起関係データベースに含まれる他の共起関係データの構成を示した図である。図９Ａおよび図９Ｂに示すとおり、共起関係データにおいては、言語とラベル名と共起条件とが対応付けられている。言語の欄には、日本語、英語、または中国語といった種別が記される。また、ラベル名の欄には、上述した共起部に記されるラベルが記される。
【００６０】
さらに、図９Ａの共起条件の欄には、上述したスロット部に用いられる語句（例えば、「I」）と、当該語句が用いられた場合における共起部に用いる文字（例えば、「am」）との対応関係が記されている。一方、図９Ｂの共起条件の欄には、上述したスロット部のラベル（例えば、「&HUMAN-MY」）と、当該ラベルが条件として指定された場合における共起部に用いる文字（例えば、「my」）との対応関係が記されている。
【００６１】
図１０は、上記メモリ１４内の各バッファを示した図である。
メモリ１４は、同図に示すとおり、抽出語句バッファ７０と、検索結果テンプレートバッファ７１と、スロット部用バッファ７２と、共起部用バッファ７３と、優先共起バッファ７４と、処理文格納バッファ７５と、翻訳結果バッファ７６と、テンポラリテンプレートバッファ７７と、テンポラリ辞書バッファ７８と、テンポラリ語句バッファ７９と、テンポラリスロットバッファ８０と、テンポラリ第１共起バッファ８１と、テンポラリ第２共起バッファ８２と、入力文バッファ８３と、を備えている。これらの各バッファが記憶するデータについては、後述する。
【００６２】
なお、メモリ１４内には、上記の各バッファ専用の領域が常に用意されている必要はなく、処理に必要となるバッファの領域がメモリ１４内で順次確保される構成であればよい。
【００６３】
ここで、図１１を参照して、本実施の形態に係る翻訳装置１の具体的構成の一態様について説明する。同図は、翻訳装置１として機能するコンピュータシステム１００のハードウェア構成を表わすブロック図である。
【００６４】
コンピュータシステム１００は、主たる構成要素として、プログラムを実行するＣＰＵ１１０と、コンピュータシステム１００の使用者による指示の入力を受けるマウス１２０およびキーボード１３０と、ＣＰＵ１１０によるプログラムの実行により生成されたデータ、又はマウス１２０若しくはキーボード１３０を介して入力されたデータを揮発的に格納するＲＡＭ１４０と、データを不揮発的に格納するハードディスク１５０と、ＣＤ−ＲＯＭ（Compact Disk-Read Only Memory）駆動装置１６０と、モニタ１７０と、通信ＩＦ（Interface）１８０とを含む。各構成要素は、相互にデータバスによって接続されている。ＣＤ−ＲＯＭ駆動装置１６０には、ＣＤ−ＲＯＭ１６１が装着される。
【００６５】
なお、翻訳装置１における入力部１０がキーボード１３０およびマウス１２０に該当し、出力部１１がモニタ１７０に該当し、記憶装置１３がハードディスク１５０に該当し、メモリ１４がＲＡＭ１４０に該当する。
【００６６】
コンピュータシステム１００における処理は、各ハードウェアおよびＣＰＵ１１０により実行されるソフトウェアによって実現される。このようなソフトウェアは、ハードディスク１５０に予め記憶されている場合がある。また、ソフトウェアは、ＣＤ−ＲＯＭ１６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＣＤ−ＲＯＭ駆動装置１６０その他の読取装置によりその記憶媒体から読み取られて、あるいは、通信ＩＦ１８０を介してダウンロードされた後、ハードディスク１５０に一旦格納される。そのソフトウェアは、ＣＰＵ１１０によってハードディスク１５０から読み出され、ＲＡＭ１４０に実行可能なプログラムの形式で格納される。ＣＰＵ１１０は、そのプログラムを実行する。
【００６７】
同図に示されるコンピュータシステム１００を構成する各構成要素は、一般的なものである。したがって、翻訳装置１の本質的な部分は、ＲＡＭ１４０、ハードディスク１５０、ＣＤ−ＲＯＭ１６１その他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００６８】
なお、記録媒体としては、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００６９】
ここでいうプログラムとは、ＣＰＵにより直接実行可能なプログラムだけでなく、ソースプログラム形式のプログラム、圧縮処理されたプログラム、暗号化されたプログラム等を含む。
【００７０】
ところで、上記構成は、あくまでも具体的構成の一態様にすぎず、上記マウスを備えず、かつ、キーボードとモニタとハードディスクとが翻訳装置１内に備えられている構成であってもよい。上記翻訳装置１は、電子辞書や携帯電話等のポータブル型の携帯情報端末としても構成できる。
【００７１】
このような携帯情報端末として翻訳装置１を構成する場合には、ハードディスク１５０の代わりに例えばフラッシュメモリを用いることができる。また、入力部として、タッチペン式の入力装置を備える構成としてもよい。さらに、小型化の観点から、モニタ１７０としては、液晶モニタや有機ＥＬモニタ等の薄型のモニタを使用することが好適である。また、小型化の観点から、ＣＤ−ＲＯＭ駆動装置の代わりにメモリカードを読み取る装置を設けておき、記録媒体としてＣＤ−ＲＯＭの代わりに当該メモリカードを用いることが好適である。
【００７２】
ここで、翻訳装置１における処理の具体的な流れについて、図１２から図４０に基づいて説明する。また、以下では、処理フローの各ステップにおいて行われる処理の結果、どのようなデータが作成されるかを、適宜具体例を挙げて説明する。
【００７３】
図１２は、翻訳装置１における処理の概略を示したフローチャートである。
まず、入力部１０を介して日本語による文が翻訳装置１に入力される（Ｓ１）。なお、当該入力された文はメモリ１４の入力文バッファ８３に一時的に記憶される。ステップＳ１の後は、制御部１２が、テンプレートデータベース６０において、所定の条件を満たすテンプレートデータデータを検索する（Ｓ２）。
【００７４】
ステップＳ２の後は、上記所定の条件を満たすテンプレートデータが存在したか否かを制御部１２が判断する（Ｓ３）。ステップＳ３において上記テンプレートデータが存在したと判断された場合には、制御部１２は、処理をステップＳ４の文例作成処理に進める。一方、ステップＳ３において上記テンプレートデータが存在しないと判断された場合、制御部１２は処理を終了する。
【００７５】
ステップＳ４においては、置換部２４は、上記テンプレートデータを用いて、日本語の文例と、当該文例に対応する英語の文例および中国語の文例とを作成する。ステップＳ４の後は、表示制御部２５は、各言語による文例を出力部１１に表示させる（Ｓ５）。
【００７６】
なお、上記においては、テンプレートデータが日本語テンプレートと英語テンプレートと中国語テンプレートとを含んでおり、各言語によるテンプレートを用いて各言語による文例を作成する構成を示したが、これに限定されるものではない。
【００７７】
例えば、ユーザが日本語の文を英語に翻訳した結果を知りたい場合には、ユーザが入力部１０を介して翻訳装置１に所定の指示を送ることにより、中国語の文例を表示することなく、日本語の文例と英語の文例とを翻訳装置１が表示する構成としてもよい。つまり、翻訳装置１は、ユーザが翻訳が不要と考える言語については、出力部１１で出力させる必要はない。また、この際、不要な言語については、文例を作成する処理を翻訳装置１が行わない構成としてもよい。
【００７８】
次に、上記ステップＳ２におけるテンプレートの検索の詳細について、図１３および図１４に基づいて説明する。
【００７９】
図１３は、テンプレート検索における処理の流れを示したフローチャートである。また、図１４は、抽出語句バッファ７０に記憶されるデータの構成を示した図である。
【００８０】
まず、抽出部２０が、入力された日本語の文から上記所定の規則にしたがって語句を抽出し、当該抽出した語句を抽出語句バッファ７０に記憶させる（Ｓ２０１）。例えば、文Ｗ１１（図７７参照）を入力した場合、抽出語句バッファ７０には、図１４に示すとおり、抽出された各語句（語句Ｗ１４、語句Ｗ１２、語句Ｗ１３）が、語句（日本語）の欄に語句番号と対応付けられた形で記憶される。なお、語句番号は、抽出した語句を互いに識別するための番号である。なお、以下では、説明の便宜上、抽出した語句を、語句（ＷＸ）として表記する。
【００８１】
ステップＳ２０１の後は、データ読出部２１が、テンプレートデータベース６０からテンプレートデータを一つ読み出す（Ｓ２０２）。そして、ステップＳ２０２の後は、制御部１２が、抽出語句バッファ７０から語句（ＷＸ）を一つ読み出す（Ｓ２０３）。
【００８２】
ステップＳ２０３の後は、判定部２２が、読み出したテンプレートデータにおける日本語テンプレートの固定部に、上記読み出した語句（ＷＸ）または当該語句（ＷＸ）の活用形を示した語句（ＷＸ′）が存在するか否かを判断する（Ｓ２０４）。なお、語句（ＷＸ′）が存在するか否かの判断に際しては、上述した、辞書データの活用の欄における情報と日本語活用形テーブルとを用いる。
【００８３】
ステップＳ２０４において、存在すると判断された場合には、制御部１２は、処理をステップＳ２０６に進める。一方、ステップＳ２０４において、存在しないと判断された場合には、判定部２２が、上記日本語テンプレートの可変部に置換可能な語句（つまり、上記候補）に、上記読み出した語句（ＷＸ）または上記語句（ＷＸ′）が含まれているか否かを判断する（Ｓ２０５）。
【００８４】
ステップＳ２０５において、存在すると判定された場合には、制御部１２は、処理をステップＳ２０６に進める。一方、ステップＳ２０５において、存在しないと判定された場合には、制御部１２は、処理をステップＳ２０８に進める。
【００８５】
ステップＳ２０６においては、制御部１２が、未だ読み出していない語句が抽出語句バッファ７０に存在するか否かを判定する。ステップＳ２０６において存在すると判断された場合には、制御部１２は、処理をステップＳ２０３に戻す。一方、Ｓ２０６において存在しないと判断された場合には、選択部２３が、上記テンプレートデータを検索結果テンプレートバッファ７１に記憶させる（Ｓ２０７）。このように、選択部２３により、複数のテンプレートデータの中から一定の条件を満たしたテンプレートデータが選択されて、検索結果テンプレートバッファ７１に記憶されることになる。なお、ステップＳ２０７の後は、制御部１２は、処理をステップＳ２０８に進める。
【００８６】
ステップＳ２０８においては、制御部１２が、テンプレートデータベース６０内に、未だ読み出していないテンプレートデータが存在するか否かを判断する。ステップＳ２０８において存在すると判断された場合には、制御部１２は、処理をステップＳ２０２に戻す。一方、ステップＳ２０８において存在しないと判断された場合には、制御部１２は、処理を図１２のステップＳ１３に進める。
【００８７】
次に、上記ステップＳ４における文例作成処理の詳細について、図１５から図１９に基づいて説明する。
【００８８】
図１５は、文例作成処理における処理の流れを示したフローチャートである。
まず、制御部１２が、検索結果テンプレートバッファ７１からテンプレートデータを一つ読み出し、当該読み出したテンプレートデータをテンポラリテンプレートバッファ７７に記憶させる（Ｓ４０１）。例えば、図３に示すようようなテンプレートデータが検索結果テンプレートバッファ７１に記憶されている場合、制御部１２は、図１６に示すとおり、結果番号が付与された形でテンポラリテンプレートバッファ７７に当該テンプレートデータを記憶させる。なお、結果番号とは、複数のテンプレートデータからテンプレートデータを識別するための番号であり、検索結果テンプレートバッファ７１にテンプレートデータが記憶される際に付される番号である。
【００８９】
ステップＳ４０１の後は、制御部１２が、上記読み出したテンプレートデータを処理文格納バッファ７５に格納する（Ｓ４０２）。当該ステップＳ４０２によって、例えば、制御部１２は、図１７に示すとおり、図１６で示したテンプレートデータのうち上記結果番号とテンプレートＩＤとを除いたデータが処理文格納バッファ７５に記憶させる。なお、図１６は、テンポラリテンプレートバッファ７７に記憶されたテンポラリテンプレートデータの構成を示した図である。また、図１７は、処理文格納バッファ７５に記憶されたテンプレートデータを示した図である。
【００９０】
ステップＳ４０２の後は、制御部１２が、処理文格納バッファ７５からスロット部に関する情報を上述したカテゴリ（つまり、「&」で始まるラベル）毎に抽出し、当該抽出した各データを所定形式のテーブルの所定箇所に代入する（Ｓ４０３）。
【００９１】
このステップＳ４０３の処理により、図１７に示すデータの例では、スロット部用バッファ７２に、図１８に示すとおり、スロット番号と、当該スロット番号に対応するカテゴリと、各言語の情報（活用情報および共起フラグの情報）とが対応付けされて記憶される。なお、活用情報の欄と、共起フラグの欄と、置換語句の欄とにおいては、言語別に欄（以下、小欄という）が設けられている。なお、図１８は、スロット部用バッファ７２に記憶されたデータを示した図である。
【００９２】
ここで、制御部１２は、同図の活用情報の欄に、言語毎に、スロット部の「+」より後ろの文字列を書き込む。例えば、制御部１２は、日本語テンプレートでは、活用情報の欄に｛2:&VB_EAT+v.ren1｝の「v.ren1」を書き込み、英語のテンプレートでは、活用情報の欄に｛2:&VB_EAT+ing｝の「ing」を書き込む。
【００９３】
また、スロット部に「-i」という符号が付されている場合、制御部１２は、同図の共起フラグの欄には、当該スロット部に関連する小欄（同図では、英語の小欄）の箇所に、「i」を書き込む。ここで、上記符号は、他の可変部との関連性を示す符号である。なお、同図における置換語句の欄と、処理済フラグの欄とについては、後述する。
【００９４】
また、以下では、説明の便宜上、一つのカテゴリと、当該カテゴリに関する、上記活用情報と上記共起フラグの情報と置換語句との言語毎の情報とからなる情報を、スロット情報と称する。例えば、図１８においては、「&HUMAN-SUBJ」に関するスロット情報と、「&VB_EAT」とに関するスロット情報とが存在していることになる。
【００９５】
ステップＳ４０３の後は、制御部１２が、処理文格納バッファ７５から共起部に関する情報をラベル（つまり、「&」で始まるラベル）毎に抽出し、当該抽出した各データを所定形式のテーブルの所定箇所に書き込む（Ｓ４０４）。
【００９６】
このステップＳ４０４の処理により、図１７に示すデータの例では、共起部用バッファ７３に、図１９に示すとおり、共起番号と、ラベルと、言語と、優先処理フラグと、置換語句と、共起フラグとが対応付けて記憶される。なお、図１９は、共起部用バッファ７３に記憶されたデータを示した図である。
【００９７】
ここで、上記共起番号とは、共起部をラベル毎に区別するために付された番号である。また、上記言語は、ラベル名で特定される共起部を含むテンプレートが、何れの言語のテンプレートであるかを示している。言い換えれば、上記言語は、ラベル名で特定される共起部に何れの言語が用いられるのかを示した情報といえる。
【００９８】
また、上記優先処理フラグは、後述する共起部の作成の際に用いられるフラグである。図１７の英語テンプレートに示すように、共起部の「：」の後ろに「＃」が付されている場合、当該共起部のラベルに関する図１９の優先処理フラグの欄に、フラグ「1」を立てる。
【００９９】
なお、以下では、説明の便宜上、一つのラベルと、当該ラベルに関する、上記言語と上記優先処理フラグと上記置換語句と上記共起フラグとの情報とからなる情報を、共起情報と称する。例えば、図１９においては、「be_AUX」に関する共起情報と、「DET_MY-NULL」とに関する共起情報とが存在していることになる。
【０１００】
ステップＳ４０４の後は、制御部１２が、スロット部用バッファ７２にデータが書き込まれているか否かを判断する（Ｓ４０５）。ステップＳ４０５においてデータが書き込まれていると判断された場合には、置換部２４が、スロット部の処理を実行する（Ｓ４０６）。そして、ステップＳ４０６の後は、制御部１２は、処理をステップＳ４０７に進める。なお、当該ステップＳ４０６の詳細については、後述する。
【０１０１】
一方、ステップＳ４０５においてデータが書き込まれていないと判断された場合には、制御部１２は、処理をステップＳ４０７に進める。なお、テンプレートデータによっては、スロット部が存在しないものもあるため、制御部１２は、ステップＳ４０５においてデータが書き込まれているか否かを判断している。
【０１０２】
ステップＳ４０７においては、制御部１２が、共起部用バッファ７３にデータが書き込まれているか否かを判断する。ステップＳ４０７においてデータが書き込まれていると判断された場合には、置換部２４が、共起部の処理を実行する（Ｓ４０８）。そして、ステップＳ４０８の後は、制御部１２は、処理をステップＳ４０９に進める。なお、当該ステップＳ４０８の詳細については、後述する。
【０１０３】
一方、ステップＳ４０７においてデータが書き込まれていないと判断された場合には、制御部１２は、処理をステップＳ４０９に進める。なお、テンプレートデータによっては、共起部が存在しないものもあるため、制御部１２は、ステップＳ４０７においてデータが書き込まれているか否かを判断している。
【０１０４】
ステップＳ４０９においては、出力文整形部２６が、スロット部と共起部とが処理されることにより作成された文例に対して、後処理を行なう。なお、当該処理の詳細については後述する。上記文例としては、日本語による文例と、英語による文例と、中国語による文例が含まれる。つまり、置換部２４と出力文整形部２６とにより、各言語のテンプレートに対応した文例が作成される。
【０１０５】
ステップＳ４０９の後は、制御部１２が、上記後処理した文例を翻訳結果バッファ７６に書き込む（Ｓ４１０）。ステップＳ４１０の後は、制御部１２が、未だ読み出されていないテンプレートデータが検索結果テンプレートバッファ７１に存在しているか否かを判断する（Ｓ４１１）。
【０１０６】
ステップＳ４１１において存在すると判断された場合には、制御部１２は、処理をステップＳ４０１に戻す。一方、ステップＳ４１１において存在しないと判断された場合には、制御部１２は、処理を図１２のステップＳ５に進める。
【０１０７】
次に、上記ステップＳ４０６におけるスロット部の処理の詳細について、図２０Ａ、図２０Ｂ、および図２１から図２８に基づいて説明する。
【０１０８】
図２０Ａは、スロット部の処理フローにおける前半の処理フローを示したフローチャートである。図２０Ｂは、スロット部の処理フローにおける後半の処理フローを示したフローチャートである。
【０１０９】
まず、スロット置換部４１が、抽出語句バッファ７０から語句（ＷＸ）を一つ読み出し、当該読み出した語句（ＷＸ）をテンポラリ語句バッファ７９に書き込む（Ｓ６０１）。例えば、図１４に示すとおり、抽出語句バッファ７０に語句Ｗ１４と語句Ｗ１２と語句Ｗ１３とが記憶されている場合、スロット置換部４１は、同図に示す語句番号の順に語句を読み出す。ここでは、スロット置換部４１は、最初に語句Ｗ１４を読み出す。なお、テンポラリ語句バッファの構成については後述する。
【０１１０】
Ｓ６０１の後は、スロット置換部４１が、スロット部用バッファ７２から上述したスロット情報を一つ抽出し、テンポラリスロットバッファ８０に書き込む（Ｓ６０２）。例えば、スロット置換部４１は、図１８に示すスロット部用バッファ７２から、最初に「&HUMAN-SUBJ」に関するスロット情報を抽出する。また、抽出されたスロット情報については、制御部１２は、スロット置換部４１が抽出済みであることを示すフラグ（図示せず）を立てる。なお、以下では、説明の便宜上、上記のようにテンポラリスロットバッファ８０に記憶されたスロット情報をスロット情報（ＳＸ）として表記する。
【０１１１】
ステップＳ６０２の後は、スロット置換部４１が、テンポラリ語句バッファ７９に書き込んだ語句（ＷＸ）が抽出したスロット情報（ＳＸ）に関連する語句であるか否かを判断する（Ｓ６０３）。
【０１１２】
ステップＳ６０３について具体的には、以下のように判断する。なお、語句（ＷＸ）として語句Ｗ１４（図１４、図７７参照）が読み出されており、かつスロット情報（ＳＸ）として「&HUMAN-SUBJ」に関するスロット情報が抽出されているものとする。この場合、スロット置換部４１が、図７に示したシソーラスデータを参照し、「&HUMAN-SUBJ」といった区分に含まれる語句に、語句Ｗ１４といった語句が存在するか否かを判断する。実際のところ、「&HUMAN-SUBJ」といった区分に含まれる語句に語句Ｗ１４は存在しないので、この場合、スロット置換部４１は、ステップＳ６０３において、テンポラリ語句バッファ７９に書き込んだ語句（ＷＸ）は抽出したスロット情報（ＳＸ）に関連する語句ではないと判断する。
【０１１３】
ステップＳ６０３において関連する語句であると判断された場合には、制御部１２は、処理をステップＳ６０４に進める。一方、ステップＳ６０３において関連する語句ではないと判断された場合には、制御部１２は、処理をステップＳ６１０に進める。
【０１１４】
ここで、説明の便宜上、ステップＳ６０４からステップＳ６０９の説明の前に、ステップＳ６１０の説明を行なう。
【０１１５】
ステップＳ６１０においては、スロット置換部４１が、スロット部用バッファ７２に、未だ抽出されていないスロット情報が存在するか否かを判断する。ステップＳ６１０においてスロット情報が存在すると判断された場合には、制御部１２は、処理をステップＳ６０２に進める。一方、ステップＳ６１０においてスロット情報が存在しないと判断された場合には、制御部１２は、処理をステップＳ６１１に進める。
【０１１６】
ここで、上記の例では、「&HUMAN-SUBJ」に関するスロット情報は抽出されているが、「&VB_EAT」に関するスロット情報は未だ抽出されていないため、スロット置換部４１は、ステップＳ６１０においてスロット情報が存在すると判断する。そして、ステップＳ６０２において、図２１に示すとおり、スロット置換部４１が「&VB_EAT」に関するスロット情報を抽出する。なお、図２１は、テンポラリスロットバッファ８０に記憶されたスロット情報の構成を示した図である。
【０１１７】
さらに、この場合、スロット置換部４１は、テンポラリ語句バッファ７９に書き込まれた語句Ｗ１４（ＷＸ）が、「&VB_EAT」に関するスロット情報に関連する語句であるか否かを、ステップＳ６０３において判断することになる。ここでは、上記と同様に、スロット置換部４１が、図７に示したシソーラスデータを参照し、「&VB_EAT」といった区分に含まれる語句に、語句Ｗ１４が存在するか否かを判断する。実際のところ、「&VB_EAT」といった区分に含まれる語句に語句Ｗ１４は存在するため、この場合、スロット置換部４１は、ステップＳ６０３において、テンポラリ語句バッファ７９に書き込んだ語句（ＷＸ）は抽出したスロット情報（ＳＸ）に関連する語句であると判断する。その結果、制御部１２は、処理をステップＳ６０４に進める。
【０１１８】
ここで、ステップＳ６０４からステップＳ６０９について説明する。なお、ステップＳ６０４からステップＳ６０９の説明においては、語句（ＷＸ）として語句Ｗ１４が読み出されており、かつスロット情報（ＳＸ）として「&VB_EAT」に関するスロット情報が抽出されている例を挙げて説明する。
【０１１９】
ステップＳ６０４においては、辞書検索部４０が、語句（ＷＸ）を含んだ辞書データを辞書データベース６１から読み出し、当該読み出した辞書データをテンポラリ辞書バッファ７８に書き込む。さらに、ステップＳ６０４の後は、スロット置換部４１が、テンポラリ辞書データにおける見出しの欄に書き込まれた英語と中国語とのデータを用いて、テンポラリ語句バッファ７９の英語の語句の欄と中国語の語句の欄との書き込みを行なう（Ｓ６０５）。また、ステップＳ６０５の後は、制御部１２は、処理をステップＳ６０６に進める。
【０１２０】
ステップＳ６０４およびステップＳ６０５について具体例を挙げて説明すると、以下の通りである。まず、ステップＳ６０４において、辞書検索部４０は、図２２に示すとおり、語句Ｗ１４（ＷＸ）を含んだ辞書データを、テンポラリ辞書バッファ７８に書き込む。なお、図２２は、テンポラリ辞書バッファ７８に記憶された辞書データを示した図である。ここで、見出しの欄に書き込まれた英語のデータが「drink」であり、中国語のデータが語句Ｗ１７である。したがって、ステップＳ６０５において、スロット置換部４１は、「drink」と語句Ｗ１７とを、図２３に示すとおり、それぞれ、テンポラリ語句バッファ７９の英語の語句の欄と中国語の語句の欄とに書き込む。なお、図２３は、テンポラリ語句バッファ７９に記憶されたデータを示した図である。
【０１２１】
ステップＳ６０６においては、変化形探索部４３が、テンポラリスロットバッファ８０に書き込まれたスロット情報（ＳＸ）において、上記活用情報の欄にデータが書き込まれているかを判断する。そして、ステップＳ６０６においてデータが書き込まれていると判断された場合には、スロット置換部４１が、当該活用情報とテンポラリ辞書バッファ７８の活用の欄のデータと図５に示した日本語活用形テーブル６２とを用いて、テンポラリ語句バッファ７９における語句（ＷＸ）の語形を変化させる（Ｓ６０７）。さらに、ステップＳ６０７においては、スロット置換部４１が、上記活用情報を用いて、テンポラリ語句バッファ７９における、語句（ＷＸ）に対応する英語の語句と中国語の語句との語形を変化させる。そして、ステップＳ６０７の後は、ステップＳ６０８に進む。
【０１２２】
ステップＳ６０６およびステップＳ６０７について具体例を挙げて説明すると、以下の通りである。先ず、テンポラリスロットバッファ８０に、図２１に示すとおり、「&VB_EAT」に関するスロット情報（ＳＸ）があるため、当該スロット情報の活用情報の欄を、スロット置換部４１が確認する。ここで、活用情報の欄には、日本語に関しては動詞の連用形１を示す「v.ren1」が書き込まれており、英語に関しては進行形を示す「ing」が書き込まれている。
【０１２３】
そして、語句Ｗ１４（ＷＸ）については、図２２に示すテンポラリ辞書データの活用の欄に、語句Ｗ１９（図７７参照）が示す活用であることを示す語句Ｗ１８が書き込まれている。それゆえ、スロット置換部４１が、当該語句Ｗ１８が示す情報と「v.ren1」という情報とを用いて、図５に示した日本語活用形テーブル６２から活用形で用いられる語句（この例では、語句Ｗ３１（inflected suffix））を取得する。そして、スロット置換部４１は、テンポラリ語句バッファ７９における語句Ｗ１４のうち語句Ｗ３２（inflected suffix）を、当該取得した語句Ｗ３１で置換する（図２３，７７参照）。
【０１２４】
また、「drink」といった語句については、スロット置換部４１が、テンポラリスロットバッファ８０の「ing」という情報に基づき、テンポラリ辞書バッファ７８の活用の欄から「*ing」という情報を得る。この「*ing」という情報は、「*」の部分に、テンポラリ辞書バッファ７８の見出しの欄の語句「drink」を挿入すればよいことを示した情報である。それゆえ、スロット置換部４１は、テンポラリ語句バッファ７９の「drink」を、「*」の部分に「drink」を挿入して得られた「drinking」に置換する。
【０１２５】
なお、中国語である語句Ｗ１７（図２２参照）に関しては、活用情報が書き込まれていないため、スロット置換部４１は、語形の変化を行わない。
【０１２６】
以上の結果、テンポラリ語句バッファ７９には、図２４に示すとおり、語句Ｗ３３（動詞）と「drinking」と語句Ｗ１７とが各言語の欄に書き込まれることになる。なお、図２４は、テンポラリ語句バッファ７９に記憶された、語形変化を行った後のデータを示した図である。
【０１２７】
次に、ステップＳ６０８においては、スロット置換部４１が、処理文格納バッファ７５に記憶された各言語のテンプレートにおける上記スロット情報に関連するスロット部を、テンポラリ語句バッファ７９に記憶されている語句で置換する。そして、ステップＳ６０８の後は、制御部１２は、処理をステップＳ６０９に進める。
【０１２８】
ステップＳ６０８について具体例を挙げて説明すると、以下の通りである。
まず、処理文格納バッファ７５には、図１７に示したテンプレートデータが記憶されている。また、テンポラリ語句バッファ７９（図２４参照）には、日本語の欄に語句Ｗ３３が、英語の欄に「drinking」が、中国語の欄に語句Ｗ１７が書き込まれている。
【０１２９】
そこで、スロット置換部４１は、図１７に示した日本語テンプレートの｛2:&VB_EAT+v.ren1｝を語句Ｗ３３に置換する。また、スロット置換部４１は、同図に示した英語テンプレートの｛2:&VB_EAT+ing｝を上記「drinking」に置換する。さらに、スロット置換部４１は、同図に示した中国語テンプレートの｛2:&VB_EAT｝を語句Ｗ１７に置換する。
【０１３０】
以上により、図２５に示すとおりのテンプレートデータが処理文格納バッファ７５に記憶されることになる。なお、図２５は、処理文格納バッファ７５に記憶された、スロット部における置換処理の途中状態のテンプレートデータを示した図である。
【０１３１】
ところで、図２５においては、可変部であることを判別しやすくするため、便宜上、置換した語句（語句Ｗ３３と「drinking」と語句Ｗ１７）を、｛｝といった括弧書きで記載している。実際には、翻訳装置１においては、｛｝を含めた可変部全体が語句で置換されることになる。つまり、置換された可変部には｛｝といった括弧は存在しなくなる。後述する、図２７と図３４と図３９と図４０と図４５と図５０と図５５とにおいても、同様である。
【０１３２】
ステップＳ６０９においては、制御部１２は、スロット部用バッファ７２に記憶されている上記スロット情報（ＳＸ）の置換語句の欄に、各言語のテンプレートの置換に用いた語句を書き込むとともに、上記処理済フラグの欄に置換処理済であることを示すフラグを立てる。
【０１３３】
この処理により、例えば図１８で示された、スロット部用バッファ７２に記憶されているデータが更新される。ここでは、制御部１２は、図２６に示すとおり、「&VB_EAT」に関するスロット情報における置換語句の日本語の欄に語句Ｗ３３を、英語の欄に「drinking」が、中国語の欄に語句Ｗ１７を書き込む。さらに、制御部１２は、同図に示すとおり、「&VB_EAT」に関するスロット情報における処理済フラグの欄に、「1」を書き込む。なお、図２６は、スロット部用バッファ７２に記憶された、スロット部における置換処理の途中状態のスロット情報を示した図である。
【０１３４】
ステップＳ６０９の後は、ステップＳ６１０に進む。なお、ステップＳ６１０については説明を行ったので、ここでの説明は省略する。
【０１３５】
ステップＳ６１０の後は、スロット置換部４１が、未だ読み出されていない語句が抽出語句バッファ７０に存在するか否かを判断する（Ｓ６１１）。ステップＳ６１１において存在すると判断された場合には、制御部１２は、処理をステップＳ６０１に戻す。一方、ステップＳ６１１において存在しないと判断された場合には、制御部１２は、処理をステップＳ６１２に進める。
【０１３６】
なお、ステップＳ６１２に進む際には、処理文格納バッファ７５において、各言語のテンプレートのスロット部が、例えば図２７に示すとおり語句で置換されている。なお、図２７は、処理文格納バッファ７５に記憶された、スロット部の置換処理が完了した状態におけるテンプレートデータを示した図である。
【０１３７】
また、スロット部用バッファ７２は、図２６に示した状態から図２８に示した状態に遷移する。つまり、制御部１２は、「&HUMAN_SUBJ」に関するスロット情報における置換語句の日本語の欄に語句Ｗ１２を、英語の欄に「he」を、中国語の欄に語句Ｗ３４（名詞）を書き込む。さらに、同図に示すとおり、「&HUMAN_SUBJ」に関するスロット情報における処理済フラグの欄に、制御部１２は、「1」を書き込む。なお、図２８は、スロット部用バッファ７２に記憶された、スロット部の置換処理が完了した状態におけるスロット情報を示した図である。
【０１３８】
この場合、以上の処理により全てのスロット情報が読み出されているため、全てのスロット情報について、抽出済みフラグ（図示せず）が立っている。一方で、抽出部２０で抽出した語句がｎ個（ｎ：自然数）であり、日本語テンプレートにおけるスロット部の個数がｎ＋１個以上の場合等には、スロット部に語句が置換されていない状況が起こりうる。つまり、この場合、置換処理済みであることを示すフラグが立っていないスロット情報が存在する。
【０１３９】
そこで、ステップＳ６１２においては、スロット置換部４１が、全てのスロット情報について、抽出済みであることを示すフラグを消去する。そして、ステップＳ６１２の後は、スロット置換部４１が、再度、スロット部用バッファ７２からスロット情報を一つ抽出し、当該抽出したスロット情報をテンポラリスロットバッファ８０に再度書き込む（Ｓ６１３）。
【０１４０】
ステップＳ６１３の後は、スロット置換部４１が、抽出したスロット情報において、置換処理済であることを示すフラグが立っているか否かを判断する（Ｓ６１４）。ステップＳ６１４においてフラグが立っていると判断された場合には、制御部１２は、処理をステップＳ６１６に進める。一方、ステップＳ６１４においてフラグが立っていないと判断された場合には、未入力箇所置換部４４が、当該スロット情報に対応する各言語のテンプレートのスロット部を、所定の語句に置換する（Ｓ６１５）。さらに、制御部１２は、当該スロット情報の置換語句の欄にも、上記置換された語句と同じ語句を書き込む。また、ステップＳ６１５の後は、制御部１２は、処理をステップＳ６１６に進める。
【０１４１】
なお、上記語句の置換の仕方としては、例えば、ユーザが入力部１０を介して入力する構成とすることができる。また、未入力箇所置換部４４が、図７に示したシソーラスデータを参照し、上記スロット部のラベルが存在する階層の語句および当該階層よりも下層の語句の何れかを用いて、語句の置換を行なう構成としてもよい。この場合、置換する語句としては、例えば上述した代表値を用いることができる。また、ユーザが入力する場合であっても、未入力箇所置換部４４が、上記スロット部のラベルで示される区分に含まれる語句を、埋め込み対象語句として出力部１１に表示するとともに、表示した語句の中から一つの語句をユーザに選択させる構成としてもよい。未入力箇所置換部４４における置換の方法は特に限定されるものではない。
【０１４２】
ステップＳ６１６においては、スロット置換部４１が、未だ読み出されていない語句が抽出語句バッファ７０に存在するか否かを判断する。ステップＳ６１６において存在すると判断された場合には、制御部１２は、処理を、再度、ステップＳ６１３に進める。一方、ステップＳ６１６において存在しないと判断された場合には、制御部１２は、処理を図１５のステップＳ４０７に進める。
【０１４３】
次に、上記ステップＳ４０８における共起部の処理の詳細について、図２９Ａ、図２９Ｂ、および図３０から図４０に基づいて説明する。
【０１４４】
図２９Ａは、共起部の処理フローにおける前半の処理フローを示したフローチャートである。図２９Ｂは、共起部の処理フローにおける後半の処理フローを示したフローチャートである。
【０１４５】
まず、共起置換部４２が、共起部用バッファ７３から上述した共起情報を一つ抽出し、テンポラリ第１共起バッファ８１に書き込む（Ｓ８０１）。共起置換部４２は、例えば、図１９に示す共起部用バッファ７３内のデータから、最初に「be_AUX」に関する共起情報を抽出し、当該共起情報を、図３０に示すとおり、テンポラリ第１共起バッファ８１に書き込む。また、制御部１２は、抽出された共起情報については、共起置換部４２が抽出済みであることを示すフラグ（図示せず）を立てる。なお、図３０は、テンポラリ第１共起バッファ８１に記憶された共起情報を示した図である。また、以下では、説明の便宜上、上記のようにテンポラリ第１共起バッファ８１に書き込まれた情報を共起情報（ＣＸ）として表記する。
【０１４６】
ステップＳ８０１の後は、制御部１２は、テンポラリ第１共起バッファ８１に書き込まれた共起情報において、優先処理フラグが立っているか否かを判断する（Ｓ８０２）。ステップＳ８０２において優先処理フラグが立っていると判断された場合には、制御部１２は、処理をステップＳ８０３に進める。一方、ステップＳ８０２において優先処理フラグが立っていないと判断されたされた場合には、制御部１２は、処理をステップＳ８０７に進める。例えば、「be_AUX」に関する共起情報については、図３０に示すように優先処理フラグが立っていないので、この場合には、制御部１２は、処理をステップＳ８０８に進める。
【０１４７】
ここで、説明の便宜上、ステップＳ８０３からステップＳ８０７の説明の前に、ステップＳ８０８の説明を行なう。
【０１４８】
ステップＳ８０８においては、共起置換部４２が、未だ抽出されていない共起情報が存在するか否かを判断する。ステップＳ８０８において共起情報が存在すると判断された場合には、制御部１２は、処理をステップＳ８０１に進める。一方、ステップＳ８０８において共起情報が存在しないと判断された場合には、制御部１２は、処理をステップＳ８０９に進める。
【０１４９】
ここで、上記の例では、「be_AUX」に関する共起情報は抽出されているが、「DET_MY-NULL」に関する共起情報は未だ抽出されていないため、制御部１２は、ステップＳ８０８においてスロット情報が存在すると判断する。そして、ステップＳ８０１において、図３１に示すとおり、共起置換部４２が「DET_MY-NULL」に関する共起情報を抽出する。なお、図３１は、テンポラリ第１共起バッファ８１に記憶された共起情報の構成を示した図である。
【０１５０】
また、同図に示すとおり「DET_MY-NULL」に関する共起情報は優先処理フラグが立っているため、制御部１２は、ステップＳ８０２においては優先処理フラグがあると判断し、その結果、処理をステップＳ８０３に進める。
【０１５１】
ここで、ステップＳ８０３からステップＳ８０７について説明する。なお、ステップＳ８０３からステップＳ８０７の説明においては、共起情報（ＣＸ）として「DET_MY-NULL」に関する共起情報が抽出されている例を挙げて説明する。
【０１５２】
ステップＳ８０３においては、共起置換部４２が、スロット部用バッファ７２から、共起情報（ＣＸ）に含まれる共起フラグを有するスロット情報を読み出し、当該読み出したスロット情報をテンポラリスロットバッファ８０に書き込む。
【０１５３】
ここで、具体例を挙げて説明する。図２１に示す「DET_MY-NULL」に関する共起情報（ＣＸ）には、共起フラグ「i」が立っている。一方、スロット部用バッファ７２には、図２８に示すとおり、共起フラグ「i」を含んだ「&HUMAN-SUBJ」に関するスロット情報が存在する。したがって、共起置換部４２は、テンポラリスロットバッファ８０に、図３２に示すような「&HUMAN-SUBJ」に関するスロット情報を書き込む。なお、図３２は、テンポラリスロットバッファ８０に記憶されたスロット情報の構成を示した図である。
【０１５４】
ステップＳ８０３の後は、共起置換部４２が、テンポラリ第１共起バッファ８１に書き込んだ共起情報に基づき、共起関係対応データベースから共起関係対応データを読み出す（Ｓ８０４）。そして、ステップＳ８０４の後は、共起置換部４２が、テンポラリスロットバッファ８０に書き込んだスロット情報と、上記読み出した共起関係対応データとに基づいて、テンポラリ語句バッファ７９に語句を書き込む（Ｓ８０５）。また、ステップＳ８０５の後は、制御部１２は、処理をステップＳ８０６に進める。
【０１５５】
ステップＳ８０４およびステップＳ８０５について具体例を挙げて説明すると、以下の通りである。
【０１５６】
まず、ステップＳ８０４において、共起置換部４２は、図９Ｂに示す共起関係データを読み出す。そして、ステップＳ８０５において、共起置換部４２は、図３２に示すスロット情報と、当該読み出した共起関係データとに基づいて、テンポラリ語句バッファ７９に語句を書き込む。この例の場合、スロット情報に置換される語句Ｗ１２（図７参照）の属するのカテゴリ（ラベルの一種）が「&HUMAN-PRON_SUBJ（&HUMAN-SUBJ）」であるため、共起置換部４２は、当該ラベルが条件として指定された場合に用いられる文字を書き込む。
【０１５７】
図９Ｂによると、ラベルが「&HUMAN-MY」に属する場合は「my」という文字が書き込まれるが、それ以外の場合には「(NULL)」という文字が書き込まれる。したがって、ステップＳ８０５において、共起置換部４２は、図３３に示すとおり、テンポラリ語句バッファ７９における英語の欄に、「(NULL)」を書き込む。なお、(NULL)については、後述する。なお、図３３は、テンポラリ語句バッファ７９に記憶されたデータを示した図である。
【０１５８】
このように、共起部の置換候補を決定する場合には、シソーラスデータの木をたどり、ラベルの包含関係も考慮に入れる必要がある。
【０１５９】
ステップＳ８０６においては、共起置換部４２が、処理文格納バッファ７５に記憶された各言語のテンプレートにおける上記共起情報に関連する共起部を、テンポラリ語句バッファ７９に記憶されている語句で置換する。そして、ステップＳ８０６の後は、ステップＳ８０７に進む。
【０１６０】
ステップＳ８０６について具体例を挙げて説明すると、以下の通りである。まず、共起置換部４２は、図２７に示した英語テンプレートの「{-i:#DET_MY-NULL}」といった共起部の「-i:#DET_MY-NULL」を「(NULL)」で置き換える。ただし、「(NULL)」とは、本実施の形態においては何も記さないことを意味する記号であるため、共起置換部４２は「-i:#DET_MY-NULL」を消去する。この結果、上記英語テンプレートは、図３４に示すように、「{-i:be_AUX+pres}」と「{he}」との間の共起部が、単に「{}」といった記号で示されることになる。なお、図３４は、処理文格納バッファ７５に記憶された、共起部における置換処理の途中状態のテンプレートデータを示した図である。
【０１６１】
ステップＳ８０７においては、制御部１２は、図３５に示すとおり、上記共起情報（ＣＸ）を優先共起バッファ７４に書き込む。なお、図３５は、優先共起バッファに記憶された共起情報を示した図である。
【０１６２】
そして、Ｓ８０７の後は、制御部１２は、処理をステップＳ８０８に進める。なお、ステップＳ８０８については説明を行ったので、ここでの説明は省略する。
【０１６３】
ステップＳ８０９においては、共起置換部４２が、全ての共起情報について、抽出済みであることを示すフラグを消去する。そして、ステップＳ８０９の後は、共起置換部４２が、共起部用バッファ７３から共起情報を一つ抽出し、当該抽出した共起情報をテンポラリ第１共起バッファ８１に書き込む（Ｓ８１０）。
【０１６４】
共起置換部４２は、例えば、図１９に示す共起部用バッファ７３から、最初に「be_AUX」に関する共起情報を抽出する。また、制御部１２は、抽出された共起情報については、抽出済みであることを示すフラグ（図示せず）を立てる。
【０１６５】
ステップＳ８１０の後は、テンポラリ第１共起バッファ８１に書き込まれた上記共起情報において、制御部１２は、優先処理フラグが立っているか否かを判断する（Ｓ８１１）。そして、ステップＳ８１１において優先処理フラグが立っていると判断された場合には、制御部１２は、処理をステップＳ８１７に進める。一方、ステップＳ８１１において優先処理フラグが立っていないと判断されたされた場合には、制御部１２は、処理をステップＳ８１２に進める。
【０１６６】
上記の例では、共起置換部４２は、図１９に示す共起部用バッファ７３内のデータから、最初に「be_AUX」に関する共起情報を再度抽出し、当該共起情報を、図３０に示すとおり、テンポラリ第１共起バッファ８１に再度書き込む。例えば、「be_AUX」に関する共起情報については、同図に示すように優先処理フラグが立っていないので、この場合には、制御部１２は、処理をステップＳ８１２に進める。
【０１６７】
なお、ステップＳ８１１において優先処理フラグの有無を判断する理由は、「{-i:#DET_MY-NULL}」といった共起部のように、もはや処理の必要でない共起部を、以降のステップＳ８１２からステップＳ８１６における処理の対象外とするためである。
【０１６８】
ここで、説明の便宜上、ステップＳ８１２からステップＳ８１６の説明の前に、ステップＳ８１７の説明を行なう。
【０１６９】
ステップＳ８１７においては、共起置換部４２が、未だ抽出されていない共起情報が存在するか否かを判断する。ステップＳ８１７において共起情報が存在すると判断された場合には、制御部１２は、処理をステップＳ８１０に進める。一方、ステップＳ８１７において共起情報が存在しないと判断された場合には、制御部１２は、処理をステップＳ４０９に進める。
【０１７０】
上記の例では、「be_AUX」に関する共起情報は抽出されているが、「DET_MY-NULL」に関する共起情報は未だ抽出されていないため、共起置換部４２は、ステップＳ８１７において共起情報が存在すると判断する。そして、ステップＳ８１０において、図３１に示すとおり、共起置換部４２が「DET_MY-NULL」に関する共起情報を抽出する。
【０１７１】
ここで、ステップＳ８１２からステップＳ８１５について説明する。なお、ステップＳ８１２からステップＳ８１５の説明においては、共起情報（ＣＸ）として「be_AUX」に関する共起情報が抽出されている例を挙げて説明する。
【０１７２】
ステップＳ８１２においては、共起置換部４２が、スロット部用バッファ７２から、共起情報（ＣＸ）に含まれる共起フラグを有するスロット情報を読み出し、当該読み出したスロット情報をテンポラリスロットバッファ８０に書き込む。
【０１７３】
例えば、優先処理フラグのない図３０に示す共起情報（ＣＸ）に含まれる共起フラグ「i」を有するスロット情報は、「&HUMAN-SUBJ」に関するスロット情報である。したがって、共起置換部４２は、「&HUMAN-SUBJ」に関するスロット情報をスロット部用バッファ７２から読み出し、図３６に示すとおり、当該読み出したスロット情報（ＳＸ）をテンポラリスロットバッファ８０に書き込む。なお、図３６は、テンポラリスロットバッファ８０に記憶されたスロット情報を示した図である。
【０１７４】
ステップＳ８１２の後は、共起置換部４２は、優先共起バッファ７４から、上記共起情報（ＣＸ）と同じ共起フラグを有する共起情報を読み出す（Ｓ８１３）。例えば、図３５に示すとおり、「be_AUX」に関する共起情報（ＣＸ）と同じ共起フラグ「i」を有する共起情報として、「DET_MY-NULL」に関する共起情報が優先共起バッファ７４に存在する。このため、共起置換部４２は、当該「DET_MY-NULL」に関する共起情報を読み出し、図３７に示すとおり、当該読み出した共起情報をテンポラリ第２共起バッファ８２に書き込む。なお、図３７は、テンポラリ第２共起バッファに記憶された共起情報を示した図である。また、以下では、上記のようにテンポラリ第２共起バッファ８２に書き込まれた共起情報を共起情報（ＣＨＸ）と表記する。
【０１７５】
ステップＳ８１３の後は、共起置換部４２が、テンポラリ第１共起バッファ８１に書き込んだ共起情報（ＣＸ）と、テンポラリ第２共起バッファ８２に書き込んだ共起情報（ＣＨＸ）とに基づき、共起関係対応データベースから共起関係対応データを読み出す（Ｓ８１４）。そして、ステップＳ８１４の後は、共起置換部４２が、上記読み出した共起関係対応データと、テンポラリスロットバッファ８０に書き込んだスロット情報（ＳＸ）とに基づいて、テンポラリ語句バッファ７９に語句を書き込む（Ｓ８１５）。また、ステップＳ８１５の後は、制御部１２は、処理をステップＳ８１６に進める。
【０１７６】
ステップＳ８１４およびステップＳ８１５について具体例を挙げて説明すると、以下の通りである。なお、以下の例では、共起情報（ＣＸ）に基づき、共起関係対応データベースから共起関係対応データを読み出す構成を説明する。
【０１７７】
まず、ステップＳ８１４において、共起置換部４２は、図３０に示す共起情報（ＣＸ）に基づき、図９Ａに示す共起関係対応データを読み出す。具体的には、共起置換部４２は、図３０に示された共起情報のラベルと同じラベルを有する共起関係対応データを読み出す。そして、ステップＳ８１５において、共起置換部４２は、図９Ａに示す共起関係対応データと、図３６に示すスロット情報（ＳＸ）とに基づいて、テンポラリ語句バッファ７９に語句を書き込む。
【０１７８】
この例の場合、スロット情報の置換語句が「he」であるため、共起置換部４２は、当該「he」が用いられた場合における共起部に用いる語句をテンポラリ語句バッファ７９に書き込む。図９Ａによると、共起置換部４２は、置換語句が「I」の場合には「am」という語句をテンポラリ語句バッファ７９に書き込む。また、置換語句が「you」または複数形の語句である場合には、共起置換部４２は、「are」という語句をテンポラリ語句バッファ７９に書き込む。さらに、これら以外の置換語句の場合には、共起置換部４２は、「is」という語句をテンポラリ語句バッファ７９に書き込む。したがって、共起置換部４２は、テンポラリ語句バッファ７９の英語の欄に、図３８に示すとおり、「is」といった語句を書き込む。なお、図３８は、テンポラリ語句バッファ７９に記憶された語句を示した図である。
【０１７９】
ステップＳ８１６においては、共起置換部４２は、処理文格納バッファ７５に記憶されたテンプレートにおける上記共起情報に関する共起部を、テンポラリ語句バッファ７９に記憶された語句で置換する。具体的には、共起置換部４２は、図３４に示した英語テンプレートの｛-i:be_AUX+pres｝を上記「is」に置換する。これにより、図３９に示すとおりのテンプレートデータが処理文格納バッファ７５に記憶されることになる。なお、図３９は、処理文格納バッファ７５に記憶された、共起部の置換処理が完了した状態におけるテンプレートデータを示した図である。
【０１８０】
そして、ステップＳ８１６の後は、Ｓ８１７に進む。
ここで、図１５のステップＳ４０９における処理を説明する。
【０１８１】
ステップＳ４０９においては、出力文整形部２６が、処理文格納バッファ７５に記憶された、例えば図３９に示すテンプレートデータにおける日本語テンプレートの語句Ｗ３５（音節）という語句を、図４０に示すとおり語句Ｗ３６（音節（語句Ｗ３５の濁音））に変更する。なお、図４０は、処理文格納バッファ７５に記憶された文例データを示した図である。
【０１８２】
翻訳装置１には、このように文を整形する規則が記憶されており、例えば全ての可変部が置換された後に当該規則にしたがって文を整形する。この規則の一例としては、語句Ｗ１９（図７７参照）で示した活用の動詞の活用形が語句Ｗ２６で示した活用形（つまり、ren1）であり、当該動詞の直後が語句Ｗ３５である場合には語句Ｗ３６に変更し、当該動詞の直後が図７７に示す語句Ｗ３８（音節）である場合には図７７に示す語句Ｗ３９（音節（語句Ｗ３８の濁音））に変更するといった規則が挙げられる。
【０１８３】
以上の結果、翻訳装置１では、各言語のテンプレートに基づき、日本語の文例が得られるとともに、当該日本語の文例を翻訳した英語の文例と、当該日本語の文例を翻訳した中国語の文例とが得られる。そして、これらの各文例は表示制御部２５によって出力部で表示されるため、ユーザは、少なくとも自身が入力した文と同じ文例あるいは最も近い文例の翻訳結果を確認することができる。
【０１８４】
このように、翻訳装置１は、所定の語句で構成された固定部と予め定められた複数の語句のうちの何れかの語句に置換可能な可変部とをそれぞれ対応する位置に含んだ、第１言語（例えば、日本語）によるテンプレートと当該テンプレートと対応関係にある第２言語（例えば、英語）によるテンプレートとを記憶した記憶装置１３から、第１言語によるテンプレートと第２言語によるテンプレートとを読み出すデータ読出部２１と、データ読出部２１によって読み出された第１言語による複数のテンプレートについて、入力部１０を介して第１言語で入力された文に含まれる語句が、上記所定の語句および上記予め定めた複数の語句の何れかと一致するかを判定する判定部２２と、当該判定の結果に基づいて、上記複数のテンプレートの中から、少なくとも一つのテンプレートを選択する選択部２３と、選択部２３によって上記一致した語句に置換可能な可変部を含むテンプレートが選択された場合、データ読出部２１によって読み出された、上記選択されたテンプレートと対応関係にある第２言語によるテンプレートについて、上記一致した語句に置換可能な可変部に対応した可変部を、上記一致した語句に対応する第２言語による語句に置換する置換部２４とを備える構成であるといえる。
【０１８５】
それゆえ、このような構成では、第１言語による各テンプレートの可変部における語句を上記複数の語句から選ぶことができるため、当該可変部において語句の選択の幅を持たせることができる。例えば、可変部においてｎ個の語句が置換可能な場合、翻訳装置１は、一つのテンプレートにより、ｎ通りの文例を作成することができる。また、例えば２つの可変部を有する場合、一方の可変部においてｎ個の語句が置換可能であって、他方の可変部においてｍ個の語句が置換可能である場合、翻訳装置１は、一つのテンプレートから、ｎ×ｍ個の文例を作成することができる。
【０１８６】
このように、可変部を有さない従来の装置と、本実施の形態に係る翻訳装置１とにおいて、仮に同じ数のテンプレートを備えた構成とした場合、作成可能な文例の数は明らかに本実施の形態に係る翻訳装置１の方が多くなる。このため、本実施の形態に係る翻訳装置１の方が、従来の装置に比べ、正確な文例を選ぶことが可能となる。
【０１８７】
また、特に、シソーラスデータを用いることにより、翻訳装置１は、一つの可変部に含まれる語句を容易に決めることができる。また、シソーラスデータを用いれば、一つの可変部における上記複数の語句を、概念的に似通った語句とすることができる。このため、意味の通じない文例が作成されるおそれがなくなる。
【０１８８】
また、翻訳装置１は、少なくとも、置換部２４による置換を行った後の第２言語によるテンプレートに基づく画像を出力部１１に表示させる表示制御部２５を備える構成でもある。それゆえ、当該構成により、翻訳装置１のユーザは、第２言語による文例を確認することができる。
【０１８９】
さらに、翻訳装置１は、選択部２３によって第１言語によるテンプレートが選択された場合、一致した語句に置換可能な可変部を前記一致した語句に置換するとともに、置換部２４による置換を行った後の第１言語によるテンプレートに基づく画像を出力部１１に表示させる構成でもある。それゆえ、当該構成により、ユーザは、第１言語による文例と第２言語による文例とを同時に確認することができる。
【０１９０】
特に、翻訳装置１では、図４に示したとおり、記憶装置１３には、第１言語によるテンプレートの可変部における上記予め定めた複数の語句それぞれについて、第２言語に翻訳した語句が一つ対応付けて記憶されている。そして、置換部２４が、第２言語によるテンプレートの可変部を、記憶装置１３において上記対応付けて記憶された第２言語に翻訳した語句に置換する。それゆえ、翻訳装置１においては、第１言語のテンプレートの可変部において置換された語句に対応する、第２言語による語句が一意に定まる。したがって、翻訳装置１は、第２言語によるテンプレートに基づいた、正確な第２言語の文例を得ることができる。
【０１９１】
また、翻訳装置１では、上述したように、第１言語によるテンプレートの可変部と、当該可変部に対応した第２言語によるテンプレートの可変部とには、語句の活用形に関する情報が対応付けられている。そして、置換部２４が、この活用形に関する情報に基づいて、上記置換した語句について語形を変化させる。それゆえ、翻訳装置１は、第１言語による文例と第２言語による文例とのそれぞれについて、語形を変化させない場合に比べ、より正確な文例とすることができる。
【０１９２】
また、翻訳装置１では、上述したように、第２言語によるテンプレートには可変部として、スロット部と共起部とが含まれており、置換部２４は、スロット部を第２言語による語句に置換するとともに、当該置換後の語句に応じて共起部の語句を決定する。それゆえ、スロット部において置換された語句に対応した語句を用いて、共起部を置換可能となる。したがって、翻訳装置１は、置換後の語句に応じて共起部の語句を決定しない構成に比べ、より正確な文例を作成することができる。
【０１９３】
ところで、図２９ＢのステップＳ８１４およびステップＳ８１５についての具体例を挙げた説明においては、共起置換部４２が、テンポラリ第１共起バッファ８１に書き込んだ共起情報（ＣＸ）に基づき、共起関係対応データベースから共起関係対応データを読み出す構成を説明した。ここでは、共起置換部４２が、テンポラリ第１共起バッファ８１に書き込んだ共起情報（ＣＸ）と、テンポラリ第２共起バッファ８２に書き込んだ共起情報（ＣＨＸ）とに基づき、共起関係対応データベースから共起関係対応データを読み出す構成を図４１から図４５に基づいて説明する。
【０１９４】
図４１は、テンプレートデータベース６０に記憶されているテンプレートデータの構成を示したものである。説明の便宜上、日本語テンプレートと英語テンプレートとを示している。同図に示すとおり、日本語テンプレートには、「｛1:NOUN｝」といったスロット部が含まれている。また、英語テンプレートには、「｛1-i:NOUN｝」といったスロット部と、「{-i:DET_A}」および「｛-i#CLASSIFIER｝」といった共起部とが含まれている。
【０１９５】
ここで、「｛-i#CLASSIFIER｝」に関する共起情報が共起情報（ＣＨＸ）に該当する。つまり、以下では、「｛1:NOUN｝」に関するスロット情報と「｛-i#CLASSIFIER｝」に関する共起情報とに基づき、「{-i:DET_A}」に置換される語句が決定される。
【０１９６】
図４２は、図４１に示したテンプレートデータにおける日本語テンプレートのスロット部において置換される語句の例を示した図である。なお、図４１においては、入力例Ａと入力例Ｂと入力例Ｃと入力例Ｄとは、それぞれ、「｛1:NOUN｝」といったスロット部において置換された語句の例を挙げたものである。例えば入力例Ａは、「｛1:NOUN｝」といったスロット部が「コーヒー」で置換された場合を示している。
【０１９７】
図４３は、辞書データベース６１に記憶されておる辞書データを示した図である。同図に示すとおり、辞書データには、日本語の語句と当該語句に対応する英語の語句とが対応付けて記憶されている。また、辞書データにおいては、当該英語の各語句に対して、助数詞に関する情報が対応付けて記憶されている。
【０１９８】
図４４は、このようなテンプレートデータと辞書データとを用いて、英語の文例を作成する際のフローを示したフローチャートである。
【０１９９】
まず、日本語テンプレートのスロット部「｛1:NOUN｝」において置換された語句に応じて、スロット置換部４１が、辞書データを参照することにより、英語テンプレートのスロット部「｛1-i:NOUN｝」を、例えば「coffee」といった語句に置換する（Ｓ９０１）。ステップＳ９０１の後は、共起置換部４２が、英語テンプレートの共起部「｛-i#CLASSIFIER｝」に関し、置換する語句を決定する（Ｓ９０２）。
【０２００】
例えば入力例Ａの場合には、ステップＳ９０２においては、共起置換部４２は、辞書データを参照することにより、共起部「｛-i#CLASSIFIER｝」を「cup of」といった語句で置換することを決定する。また、入力例Ｂの場合には、同様に、共起置換部４２は、共起部「｛-i#CLASSIFIER｝」を「order of」といった語句で置換することを決定する。一方、入力例Ｃの場合には、辞書データを参照すると、「ペン」といった語句に対応する助数詞の情報が「(NULL)」であるため、共起置換部４２は、共起部「｛-i#CLASSIFIER｝」を「(NULL)」で置換することを決定する。入力例Ｄの場合についても、「入力例Ｃ」の場合と同様である。
【０２０１】
ステップＳ９０２の後は、共起置換部４２が、辞書データに基づいて、共起部「｛-i#CLASSIFIER｝」に関し、決定された語句の訳があるか否かを判断する（Ｓ９０３）。
【０２０２】
ステップＳ９０３において訳があると判断された場合、共起置換部４２が、当該決定された語句の読みに基づき、共起部「{-i:DET_A}」を「a」で置換するか、それとも「an」で置換するかを決定する（Ｓ９０４）。例えば、入力例Ａの場合には、共起置換部４２は、共起部「{-i:DET_A}」を「a」で置換することを決定する。また、入力例Ｂの場合には、共起置換部４２は、共起部「{-i:DET_A}」を「an」で置換することを決定する。
【０２０３】
一方、ステップＳ９０３において訳がないと判断された場合、共起置換部４２が、「｛1-i:NOUN｝」といったスロット部において置換されることが決定した語句の読みに基づき、共起部{-i:DET_A}」を「a」で置換するか、それとも「an」で置換するかを決定する（Ｓ９０５）。例えば、入力例Ｃの場合には、共起置換部４２は、共起部「{-i:DET_A}」を「a」で置換することを決定する。また、入力例Ｄの場合には、共起置換部４２は、共起部「{-i:DET_A}」を「an」で置換することを決定する。
【０２０４】
ステップＳ９０４とステップＳ９０５の後は、制御部１２は、処理をステップＳ９０６に進める。ステップＳ９０６においては、共起置換部４２は、共起部「｛-i#CLASSIFIER｝」において置換する語句として決定された語句と、共起部「{-i:DET_A}」において置換する語句として決定された語句を用いて、それぞれの共起部を置換する。ただし、「(NULL)」とは、上述したとおり、何も記さないことを意味する記号であるため、共起置換部４２は「-i#CLASSIFIER」を消去する。
【０２０５】
その結果、翻訳装置１は、図４５に示すとおり、入力例Ａ〜入力例Ｄのそれぞれについて、スロット部と２つの共起部とが語句で置換された英語文例を生成する。
【０２０６】
ところで、上記の説明においては、スロット部において置換する語句は、スロット部同士の間で独立して決定可能な構成を例に挙げて説明した。つまり、例えば図３において、「｛1:&HUMAN-SUBJ｝」と「｛2:&VB_EAT+v.ren1｝」との何れを先に決定しても問題ない構成について説明した。以下では、スロット部間において共起関係を形成する２つの例について、図４６から図５５に基づいて説明する。
【０２０７】
まず、一つ目の例を、図４６から図５０に基づいて説明する。
図４６は、テンプレートデータベース６０に記憶されているテンプレートデータの構成を示したものである。説明の便宜上、日本語テンプレートと英語テンプレートとを示している。同図に示すとおり、日本語テンプレートには、「｛1:THIS-THAT｝」と「｛2:GOODS｝」といった２つのスロット部が含まれている。また、英語テンプレートには、「｛1-i:THIS-THAT｝」と「｛2-i:GOODS｝」といった２つのスロット部が含まれている。この英語テンプレートの両方のスロット部においては、「-i」といった符号が付されている。つまり、両スロット部は互いに共起関係を有している。
【０２０８】
図４７は、図４６に示したテンプレートデータにおける日本語テンプレートのスロット部において置換された語句の例を示した図である。なお、図４７においては、入力例Ａと入力例Ｂと入力例Ｃと入力例Ｄとは、それぞれ、「｛1:THIS-THAT｝」と「｛2:GOODS｝」といったスロット部において置換された語句の例を挙げたものである。例えば入力例Ａは、「｛1-i:THIS-THAT｝」といったスロット部が語句Ｗ４０（指示代名詞）で置換され、「｛2-i:GOODS｝」といったスロット部が語句Ｗ４１（名詞）で置換された場合を示している。
【０２０９】
図４８は、辞書データベース６１に記憶されておる辞書データを示した図である。同図に示すとおり、辞書データには、日本語の語句と当該語句に対応する英語の語句とが対応付けて記憶されている。また、辞書データにおいては、当該英語の各語句に対して、当該各語句の複数形に関する情報が対応付けて記憶されている。
【０２１０】
図４９は、このようなテンプレートデータと辞書データとを用いて、英語の文例を作成する際のフローを示したフローチャートである。なお、以下では、日本語テンプレートのスロット部における置換処理は終了しているものとし、英語テンプレートのスロット部における置換処理を説明する。
【０２１１】
まず、スロット置換部４１が、英語テンプレートのスロット部「｛1-i:THIS-THAT｝」において置換される語句が、複数形であるか否かを判断する（Ｓ１００１）。ここで、語句が複数形であるか否かの判断は、スロット置換部４１が辞書データベース６１を参照することにより行なう。なお、辞書データベース６１には、語句が単数あるいは複数形であることを示す情報が記憶されている。
【０２１２】
例えば入力例Ａと入力例Ｂと入力例Ｃとの場合には、ステップＳ１００１において、スロット置換部４１は、複数形でないと判断する。一方、入力例Ｄと入力例Ｅと入力例Ｆとの場合には、ステップＳ１００１において、スロット置換部４１は、複数形であると判断する。
【０２１３】
ステップ１００１において複数形であると判断された場合には、スロット置換部４１が、英語テンプレートのスロット部「｛2-i:GOODS｝」において置換される語句が複数形を有するか否かを判断する（Ｓ１００２）。一方、ステップＳ１００１において複数形ではないと判断された場合には、制御部１２は、処理をステップＳ１００４に進める。
【０２１４】
ステップＳ１００２において複数形を有すると判断された場合には、スロット置換部４１が、図４８に示した辞書データを参照することにより、上記英語テンプレートのスロット部「｛2-i:GOODS｝」に用いられる英語の語句を複数形に変換する（Ｓ１００３）。一方、ステップＳ１００２において複数形を有しないと判断された場合には、制御部１２は、処理をステップＳ１００４に進める。
【０２１５】
例えば入力例Ｄの場合には、ステップＳ１００３において、スロット置換部４１は、「book」という語句を「books」といった複数形の語句に変換する。また、同様に、入力例Ｅの場合には、スロット置換部４１は、「trousers」という語句を「trousers」といった複数形（この場合、単数形と複数形とで同一）の語句に変換する。一方、例えば、入力例Ｆの場合には、図４８にも示すとおり「luggage」という語句に複数形は存在しないので、この場合には、制御部１２は、処理をステップＳ１００４に進める。
【０２１６】
ステップＳ１００４においては、スロット置換部４１が、再度、英語テンプレートのスロット部「｛2-i:GOODS｝」において置換される語句が複数形を有するか否かを判断する。ステップＳ１００４において複数形を有すると判断された場合には、スロット置換部４１が、英語テンプレートのスロット部「｛2-i:GOODS｝」において置換される語句が複数形であるか否かを判断する（Ｓ１００５）。一方、ステップＳ１００４において複数形を有しないと判断された場合には、スロット置換部４１が、辞書データを参照することにおより、英語テンプレートのスロット部「｛1-i:THIS-THAT｝」に用いられる語句を単数形に変換する（Ｓ１００６）。そして、ステップＳ１００６の後は、ステップＳ１００８に進む。
【０２１７】
例えば、入力例Ａと入力例Ｂと入力例Ｄと入力例Ｅとの場合には、ステップＳ１００４において、スロット置換部４１は、英語テンプレートのスロット部「｛2-i:GOODS｝」において置換される語句が複数形を有すると判断する。一方、入力例Ｃと入力例Ｆとの場合には、ステップＳ１００６において、スロット置換部４１は、スロット部「｛2-i:GOODS｝」を単数形に変換する。具体的には、入力例Ｃの場合には、実質的な変更はないが、スロット置換部４１は「this」を「this」に変換する。また、入力例Ｆの場合には、スロット置換部４１は、「these」を「this」に変換する。
【０２１８】
そして、ステップＳ１００５においては、スロット置換部４１は、入力例Ａと入力例Ｂと入力例Ｄと入力例Ｅとのうち、入力例Ｂと入力例Ｄと入力例Ｅとについては、スロット部「｛2-i:GOODS｝」において置換される語句が複数形であると判断する。一方、同ステップにおいては、スロット置換部４１は、入力例Ａについては、スロット部「｛2-i:GOODS｝」において置換される語句が複数形でないと判断する。
【０２１９】
ステップＳ１００５において複数形であると判断された場合には、スロット置換部４１が、英語テンプレートのスロット部「｛1-i:THIS-THAT｝」に用いられる語句を複数形に変換する（Ｓ１００７）。そして、ステップＳ１００７の後は、制御部１２は、処理をステップＳ１００８に進める。一方、ステップＳ１００５において複数形でないと判断された場合には、語句を複数形に変換することなく、制御部１２は、処理をステップＳ１００８に進める。
【０２２０】
例えば、入力例Ｂと入力例Ｄと入力例Ｅとの場合には、ステップＳ１００７において、スロット置換部４１は、英語テンプレートのスロット部「｛1-i:THIS-THAT｝」において置換される語句を複数形に変換する。具体的には、入力例Ｂの場合には、スロット置換部４１は、「this」を「these」に変換する。また、入力例Ｄと入力例Ｅとの場合には、実質的な変更はないが、スロット置換部４１は、「these」を「these」に変換する。
【０２２１】
ステップＳ１００８においては、スロット置換部４１が、上述した変換処理後の語句を用いて、スロット部「｛1-i:THIS-THAT｝」とスロット部「｛2-i:GOODS｝」とを置換する。
【０２２２】
以上の結果、図５０に示すとおり、入力例Ａ〜入力例Ｆのそれぞれについて、２つのスロットが語句で置換された英語文例が生成される。
【０２２３】
次に、二つ目の例を、図５１から図５５に基づいて説明する。
図５１は、テンプレートデータベース６０に記憶されているテンプレートデータの構成を示したものである。説明の便宜上、日本語テンプレートと英語テンプレートとを示している。同図に示すとおり、日本語テンプレートには、「｛1-i:NOUN｝」と「｛2:NUM｝」と「｛3-i:CLASSIFIER｝」といった３つのスロット部が含まれている。また、英語テンプレートには、「｛2-j:NUM｝」と「｛3-j:CLASSIFIER｝」と「｛1-j:NOUN｝」といった３つのスロット部が含まれている。この英語テンプレートの３つスロット部においては、共起関係を示す「-j」といった符号が付されている。つまり、３つのスロット部は互いに共起関係を有している。
【０２２４】
図５２は、図５１に示したテンプレートデータにおける日本語テンプレートのスロット部において置換される語句の例を示した図である。なお、図５２においては、入力例Ａと入力例Ｂとは、それぞれ、「｛1-i:NOUN｝」と「｛2:NUM｝」と「｛3-i:CLASSIFIER｝」といったスロット部において置換される語句の例を挙げたものである。例えば入力例Ａは、「｛1-i:NOUN｝」といったスロット部が語句Ｗ４２（名詞）で置換され、「｛2:NUM｝」といったスロット部が「2」で置換され、「｛3-i:CLASSIFIER｝」といったスロット部が語句Ｗ４３（名詞）で置換された場合を示している。
【０２２５】
図５３は、辞書データベース６１に記憶されておる辞書データを示した図である。同図に示すとおり、辞書データには、日本語の語句と当該語句に対応する英語の語句とが対応付けて記憶されている。
【０２２６】
図５４は、このようなテンプレートデータと辞書データとを用いて、英語の文例を作成する際のフローを示したフローチャートである。
【０２２７】
まず、スロット置換部４１が、辞書データを参照し、日本語テンプレートのスロット部「｛1-i:NOUN｝」において置換された語句に応じて、日本語テンプレートのスロット部「｛3-i:CLASSIFIER｝」において置換可能な語句の候補を選定する（Ｓ１１０１）。例えば、図５２に示す入力例Ａの場合には、スロット置換部４１は、上記候補として、語句Ｗ４３と語句Ｗ４１（図５３参照）とを選定する。また、同図に示す入力例Ｂの場合には、スロット置換部４１は、上記候補として、語句Ｗ４４（名詞）を選定する。
【０２２８】
ステップＳ１１０１の後は、スロット置換部４１は、スロット部｛3-i:CLASSIFIER｝」において一旦置換された語句に基づき、上記候補のうちから一つの語句を決定する（Ｓ１１０２）。スロット置換部４１は、例えば、入力例Ａの場合には、日本語テンプレートのスロット部「｛3-i:CLASSIFIER｝」において置換可能な語句を語句Ｗ４３に決定し、入力例Ｂの場合には、当該スロット部「｛3-i:CLASSIFIER｝」において置換可能な語句を語句Ｗ４４に決定する。
【０２２９】
そして、ステップＳ１１０２の後は、制御部１２は、処理を英語テンプレートの処理に移行する。
【０２３０】
ステップＳ１１０２の後は、スロット置換部４１により、日本語テンプレートのスロット部「｛2:NUM｝」が「２」以上であるか否かが判断される（Ｓ１１０３）。ステップＳ１１０３において「２」以上であると判断された場合には、スロット置換部４１が、日本語テンプレートのスロット部｛3-i:CLASSIFIER｝」における語句の訳が存在するか否かを判断する（Ｓ１１０４）。一方、ステップＳ１１０３において「２」以上でないと判断された場合には、ステップＳ１１０７に進む。
【０２３１】
ステップＳ１１０４において訳が存在すると判断された場合には、スロット置換部４１は、英語テンプレートのスロット部「｛3-j:CLASSIFIER｝」の語句を複数形に変換する（Ｓ１１０５）。そして、ステップＳ１１０５の後は、制御部１２は、処理をステップＳ１１０７に進める。一方、ステップＳ１１０４において訳が存在しないと判断された場合には、スロット置換部４１は、英語テンプレートのスロット部「｛2-j:NOUN｝」の語句を複数形に変換する（Ｓ１１０６）。そして、ステップＳ１１０６の後は、制御部１２は、処理をステップＳ１１０７に進める。
【０２３２】
例えば入力例Ａの場合には、ステップＳ１１０５において、スロット置換部４１は、「glass of」を「glasses of」に変換する。また、入力例Ｂの場合には、ステップＳ１１０６において、スロット置換部４１は、「magazine」を「magazines」に変換する。
【０２３３】
そして、ステップＳ１１０７においては、翻訳装置１は、変換後の語句を用いて置換処理を行なう。
【０２３４】
以上の結果、図５５に示すとおり、翻訳装置１は、入力例Ａおよび入力例Ｂのそれぞれについて、各スロットが語句で置換された英語文例を生成する。
【０２３５】
なお、上記の実施の形態においては、図１３のフローにも示すとおり、テンプレートデータベース内の全てのテンプレートデータを検索対象とし、抽出した語句が固定部または可変部に含まれるようなテンプレートを検索する構成を例に挙げて説明した。しかしながら、これに限定されるものではなく、テンプレートデータの一部のテンプレートを検索の対象としてもよい。
【０２３６】
また、上記においては、図３に示すとおり、複数の言語のテンプレートが１つのテンプレートデータに含まれる構成を例に挙げて説明したが、これに限定されるものではない。例えば、一つのテンプレートデータには一つの言語のテンプレートデータが含まれている構成としてもよい。この場合、上記一つの言語のテンプレートデータと対応関係にある他の言語のテンプレートデータが、当該一つの言語のテンプレートデータと関連付けられて記憶装置１３に記憶されていればよい。
【０２３７】
また、上記においては、図７に示すとおり、シソーラスデータを用いた例を挙げて説明したが、これに限定されるものではない。
【０２３８】
あくまでも、可変部において置換可能な上記予め定められた複数の語句は、所定の識別標識により特定される語句であればよい。つまり、シソーラスデータにおける区分としてのラベルで特定される語句に限定されず、予め区分が設けられたデータにおける或る区分を表す識別標識で特定される語句であればよい。
【０２３９】
例えば、記憶装置１３に記憶された第１言語の辞書データでは、当該辞書データに含まれる語句のうち全部または一部の語句が、それぞれ、少なくとも一つのグループに属するように分類しておき、上記所定の識別標識を、前記複数のグループのうちの所定のグループを示す標識としてもよい。つまり、ある語句「Ａ」を、少なくとも一つのグループ（例えば、グループＡおよびグループＢ）に含まれるようにしておき、例えば上記所定の識別標識としてグループＢを示す標識を用いた場合には、グループＢに含まれる語句全てが、一つの可変部において置換対象となるようにすればよい。
【０２４０】
また、翻訳装置１は、出力部１１において画像を出力する構成であったが、これに限定されるものではない。例えば、翻訳装置１を、画像を出力すると共に、得られた各言語の文例を音声出力する構成としてもよい。また、翻訳装置１を、当該文例を画像出力することなく、単に、音声出力するだけの構成としてもよい。
【０２４１】
以上述べてきたように、本実施の形態に係る翻訳装置１を用いることにより、入力文とテンプレートとのマッチングの際に、同一意味概念の言葉（語句）は同定される。その結果、翻訳装置１は、適切な文例（ベースとなる文例）の選択が可能となる。また、テンプレートにおける一文中の可変部の数が増えても、不当に類似度（マッチ度合い）が低下することはない。さらに、テンプレートにおいて、予め可変部となる箇所がスロット化されて特定されているため、翻訳装置１は、非マッチ部分の特定を誤ることがない。また、可変部で置換可能な語句が予め対訳辞書に指定されているため、翻訳装置１は、確実な訳語置換を行なうことができる。さらに、共起関係を記したテンプレート、共起関係対応データ、活用形に関する情報等のデータを用いるため、翻訳装置１は、従来の用例主導型方式をはじめとする各種方式の翻訳装置では実現できなかった「１００％正しい」といえる翻訳結果を得ることがきる。
【０２４２】
＜翻訳装置１の変形例＞
ところで、上記においては、翻訳装置１は、翻訳処理を実行しない場合であっても、図３に示した形式の日本語テンプレートや英語テンプレートを、記憶装置１３のテンプレートデータベース６０に記憶している。以下では、翻訳装置が、翻訳処理を実行する際に、記憶装置１３のテンプレートデータベースに予め記憶されたテンプレートに基づいて、日本語テンプレートおよび英語テンプレートを生成する構成について説明する。なお、以下の説明では、同一の部品には同一の符号を付してある。それらの名称および機能も同じである。したがって、それらについての詳細な説明は繰り返さない。
【０２４３】
図５６は、翻訳装置１Ａの概略構成を示した図である。図５６を参照して、翻訳装置１Ａは、入力部１０と、出力部１１と、制御部１２Ａと、記憶装置１３Ａと、メモリ１４Ａとを備えている。つまり、翻訳装置１Ａが制御部１２Ａおよび記憶装置１３Ａを有する点において、制御部１２および記憶装置１３を有する翻訳装置１とは異なる。
【０２４４】
記憶装置１３Ａは、テンプレートデータベース６０Ａと、辞書データベース６１と、日本語活用形テーブル６２と、カテゴリデータベース６３と、シソーラスデータ６４と、共起関係データベース６５とを記憶している。
【０２４５】
テンプレートデータベース６０Ａは、日本語テンプレートデータの代わりに、当該日本語テンプレートを生成するためのテンプレート（以下、「第１テンプレート」と称する）を記憶している。また、記憶装置１３Ａは、英語テンプレートの代わりに、当該英語テンプレートを生成するためのテンプレート（以下、「第２テンプレート」と称する）を記憶している。また、記憶装置１３Ａは、中国語テンプレートの代わりに、当該中国語テンプレートを生成するためのテンプレート（以下、「第３テンプレート」と称する）を記憶している。第１テンプレート、第２テンプレート、および第３テンプレートの概要については、後述する（図５７参照）。
【０２４６】
メモリ１４Ａは、抽出語句バッファ７０と、検索結果テンプレートバッファ７１と、スロット部用バッファ７２と、共起部用バッファ７３と、優先共起バッファ７４と、処理文格納バッファ７５と、翻訳結果バッファ７６と、テンポラリテンプレートバッファ７７と、テンポラリ辞書バッファ７８と、テンポラリ語句バッファ７９と、テンポラリスロットバッファ８０と、テンポラリ第１共起バッファ８１と、テンポラリ第２共起バッファ８２と、入力文バッファ８３と、展開データ格納バッファ（図示せず）と、処理待ちバッファ（図示せず）と、要素バッファ（図示せず）とを備えている。
【０２４７】
制御部１２Ａは、抽出部２０と、データ読出部２１Ａと、判定部２２と、選択部２３と、置換部２４と、表示制御部２５と、出力文整形部２６と、テンプレート生成部２７とを備えている。
【０２４８】
データ読出部２１Ａは、記憶装置１３Ａから上記第１テンプレートと上記第２テンプレートとを読み出す。
【０２４９】
テンプレート生成部２７は、読み出された第１テンプレートと第２テンプレートと第３テンプレートとに基づき、日本語テンプレートと当該日本語テンプレートと対応関係にある英語テンプレートおよび中国語テンプレートとをそれぞれ複数生成する。テンプレート生成部２７は、当該生成した日本語テンプレートと英語テンプレートと中国語テンプレートとを記憶装置１３Ａに記憶させる。
【０２５０】
以上の処理により、翻訳装置１Ａは、記憶装置１３Ａに、日本語テンプレートと英語テンプレートと中国語テンプレートとを記憶させることができる。以下、第１テンプレート、第２テンプレート、および第３テンプレートの構成を説明しつつ、テンプレート生成部２７の詳細な処理を説明する。
【０２５１】
図５７は、テンプレートデータベース６０Ａに含まれる一つのテンプレートデータの構成を示した図である。図５７を参照して、テンプレートデータは、テンプレートＩＤと、第１テンプレートと、第２テンプレートと、第３テンプレートとを含んでいる。
【０２５２】
第１テンプレートは、所定の語句で構成された第１部と、予め定められた複数の語句のうちの何れかの語句に置換可能な可変部と、予め定められた複数の要素のうちの何れかの要素を選択可能な第２部とを含んでいる。
【０２５３】
図５７においては、語句Ｗ３６、語句Ｗ４５（否定を示す文字）、および語句Ｗ４６（句点）が第１部に該当する。また、｛1:&LANGUAGE｝が可変部に該当する。さらに、文字列Ｗ４７と、｛2:(&VB_EXPLAIN+v.kanou)｜(&VB_PRONOUNCE+v.kanou)｜(&VB_INTERPRET+v.kanou)}とが、第２部に該当する。
【０２５４】
第２テンプレートは、第１テンプレートと同様に、第１部と可変部と第２部とを含んでいる。図５７においては、「I」と「can't」とが第１部に該当する。また、｛1:&LANGUAGE｝が可変部に該当する。さらに、｛2:(&VB_EXPLAIN+inf) it in｜(&VB_PRONOUNCE+inf) it in｜(&VB_INTERPRET+inf) it in}が第２部に該当する。
【０２５５】
第３テンプレートについても、図５７に示すとおり、第１テンプレートと第２テンプレートと同様に、第１部と可変部と第２部とを含んでいる。
【０２５６】
以上のように、第１テンプレートと第２テンプレート（あるいは第３テンプレート）とは、所定の語句で構成された第１部と予め定められた複数の要素のうちの何れかの要素を選択可能な第２部とを含んでいる。
【０２５７】
翻訳装置１Ａにおける処理の概略は、図１２に示したフローチャートと同じである。ただし、翻訳装置１Ａにおけるテンプレート検索（ステップＳ２）の処理は、図１３に示したフローチャートとは異なる。
【０２５８】
図５８は、テンプレート検索における前半の処理の流れを示したフローチャートである。図５９は、当該テンプレート検索における後半の処理の流れを示したフローチャートである。図５８を参照して、ステップＳ２０２とステップＳ２０３との間に、新たに２つのステップＳ２００１，Ｓ２００２を含む点で、図５８の処理は図１３の処理（ステップＳ２０１〜ステップＳ２０４）とは異なる。図５９を参照して、ステップＳ２０７とステップＳ２０８との間に、新たにステップＳ２００３を含む点で、図５９の処理は図１３の処理（ステップＳ２０５〜ステップＳ２０８）とは異なる。
【０２５９】
再び図５８を参照して、ステップＳ２００１において、テンプレート生成部２７は、記憶装置１３Ａから読み出されたテンプレートデータ（図５７参照）を展開し、当該展開して得られたテンプレートデータを上記展開データ格納バッファに書き込む。テンプレート生成部２７は、テンプレートデータの展開により、少なくとも１つ以上のテンプレートデータを展開データ格納バッファに書き込む。ステップＳ２００２において、テンプレート生成部２７は、展開データ格納バッファからテンプレートデータを１つ読み出す。
【０２６０】
再び図５９を参照して、ステップＳ２００３において、テンプレート生成部２７は、未だ読み出していないテンプレートデータが展開データ格納バッファに存在するか否かを判断する。テンプレートデータが存在すると判断された場合（ステップＳ２００３においてＹＥＳ）、翻訳装置１Ａは、処理をステップＳ２００２に戻す。一方、テンプレートデータが存在しないと判断された場合（ステップＳ２００３においてＮＯ）、翻訳装置１Ａは、処理をステップＳ２０８に進める。ステップＳ２０８においては、制御部１２が、テンプレートデータベース６０Ａ内に、未だ読み出していないテンプレートデータがテンプレートデータベースに存在するか否かを判断する。
【０２６１】
図６０は、図５８におけるステップＳ２００１の詳細の一部を示したフローチャートである。図６１は、図５８におけるステップＳ２００１の詳細の残りの部分を示したフローチャートである。
【０２６２】
図６０を参照して、ステップＳ２１０１において、翻訳装置１Ａは、ステップＳ２０２にて読み出した一つのテンプレートデータを、処理待ちバッファに格納する。例えば、翻訳装置１は、図５７に示したテンプレートデータを処理待ちバッファに格納する。以下では、図５７に示したテンプレートデータ（以下、「テンプレートデータ（ＩＤ１９７１−１）」と称する）が処理待ちバッファに格納された場合を例に挙げて説明する。
【０２６３】
ステップＳ２１０３において、翻訳装置１Ａは、処理待ちバッファから、テンプレートデータを１件読み出す。処理待ちバッファにテンプレートデータ（ＩＤ１９７１−１）のみが格納されているため、翻訳装置１Ａは、このテンプレートデータ（ＩＤ１９７１−１）を読み出す。
【０２６４】
ステップＳ２１０５において、翻訳装置１Ａは、読み出したテンプレートデータ内に「｜」といった区分けを示す記号が存在するか否かを判断する。記号「｜」が存在すると判断された場合（ステップＳ２１０５においてＹＥＳ）、翻訳装置１Ａは、処理をステップＳ２１１１（図６１参照）に進める。
【０２６５】
記号「｜」が存在しないと判断された場合（ステップＳ２１０５においてＮＯ）、ステップＳ２１０７において、翻訳装置１Ａは、テンプレートデータを展開データ格納バッファに書き込む。そして、ステップＳ２１０９において、翻訳装置１Ａは、処理待ちバッファ内に読み出していないテンプレートデータが存在するか否かを判断する。テンプレートデータが存在すると判断された場合（ステップＳ２１０９においてＹＥＳ）、翻訳装置１Ａは、処理をステップＳ２１０３に戻す。一方、テンプレートデータが存在しないと判断された場合（ステップＳ２１０９においてＮＯ）、翻訳装置１Ａは、処理をステップＳ２００２（図５８参照）に進める。
【０２６６】
テンプレートデータ（ＩＤ１９７１−１）は記号「｜」を含んでいるため、翻訳装置１Ａは、ステップＳ２１０５の後、ステップＳ２１１１を実行する。図６１を参照して、ステップＳ２１１１において、翻訳装置１Ａは、記号「｜」を含む第２部を１つ読み出す。たとえば、翻訳装置１Ａは、テンプレートデータ（ＩＤ１９７１−１）の第１テンプレートから、文字列Ｗ４７（図５７参照）を読み出す。
【０２６７】
ステップＳ２１１３において、翻訳装置１Ａは、読み出した第２部の「｛｝」内において「｜」で仕切られて存在している各要素を、要素バッファに書き込む。具体的には、翻訳装置１Ａは、図６２に示すとおり、語句Ｗ４８（副詞）と語句Ｗ４９（副詞）と「  」（つまり空白）とを要素バッファの日本語の欄に書き込む。なお、図６２は、１度目のステップＳ２１１３の処理において、要素が書き込まれた後の要素バッファの状態を示した図である。なお、第２テンプレートおよび第３テンプレートには、文字列Ｗ４７に対応する第２部が存在しないため、翻訳装置１Ａは、要素バッファの英語および中国語の欄について、「Null」の状態を維持する。
【０２６８】
ステップＳ２１１５において、翻訳装置１Ａは、要素内にラベルが存在するか否かを判断する。ラベルが存在すると判断された場合（ステップＳ２１１５においてＹＥＳ）、ステップＳ２１１７において、翻訳装置１Ａは、読み出した要素内に、「（）」が存在するか否かを判断する。「（）」が存在すると判断された場合（ステップＳ２１１７においてＹＥＳ）、ステップＳ２１１９において、翻訳装置１Ａは、まず、要素バッファにおいて、「（」を「｛」に変更するとともに、「）」を「｝」に変更する。さらに、ステップＳ２１１９において、翻訳装置１Ａは、「｛」の後にスロット番号を追記する。一方、「（）」が存在しないと判断された場合（ステップＳ２１１７においてＮＯ）、翻訳装置１Ａは、要素バッファにおいて、要素全体を「（）」で括るとともに、「｛」の後にスロット番号を追記する。
【０２６９】
一方、ラベルが存在しないと判断された場合（ステップＳ２１１５においてＮＯ）、翻訳装置１Ａは、処理をステップＳ２１２３に進める。ステップＳ２１２３において、翻訳装置１Ａは、テンプレートデータを要素バッファ内の各要素を用いて書き換え、当該書き換えたテンプレートデータを処理待ちバッファに格納する。
【０２７０】
上記のように、要素バッファに、語句Ｗ４８と語句Ｗ４９と「  」（つまり空白）とが書き込まれている場合（図６２参照）、ステップＳ２１１５において、翻訳装置１Ａは、ラベルが存在しないと判断する。このため、ステップＳ２１２３の処理の結果、翻訳装置１Ａは、図６３に示すテンプレートデータ、図６４に示すテンプレートデータ、および図６５に示すテンプレートデータを、処理待ちバッファに格納する。
【０２７１】
なお、図６３は、処理待ちバッファに格納した後の１つのテンプレートデータ（以下、「テンプレートデータ（１９７１−１＿１）」と称する）を示した図である。なお、テンプレートデータ（１９７１−１＿１）は、翻訳装置１が、テンプレートデータ（ＩＤ１９７１−１）の文字列Ｗ４７を、語句Ｗ４８（要素）を用いて書き換えることにより得られらデータである。
【０２７２】
また、図６４は、処理待ちバッファに格納した後の他のテンプレートデータ（以下、「テンプレートデータ（１９７１−１＿２）」と称する）を示した図である。なお、テンプレートデータ（１９７１−１＿２）は、翻訳装置１が、テンプレートデータ（ＩＤ１９７１−１）の文字列Ｗ４７を、語句Ｗ４９（要素）を用いて書き換えることにより得られるデータである。
【０２７３】
さらに、図６５は、処理待ちバッファに格納した後のさらに他のテンプレートデータ（以下、「テンプレートデータ（１９７１−１＿３）」と称する）を示した図である。なお、テンプレートデータ（１９７１−１＿３）は、翻訳装置１が、テンプレートデータ（ＩＤ１９７１−１）の文字列Ｗ４７を、「  」（つまり空白）といった要素を用いて書き換えることにより得られらデータである。
【０２７４】
翻訳装置１Ａが、テンプレートデータ（１９７１−１＿１）、テンプレートデータ（１９７１−１＿２）、およびテンプレートデータ（１９７１−１＿３）を処理待ちバッファに格納した場合、ステップＳ２１０３において、翻訳装置１は、当該格納した３つのテンプレートデータから、１つのテンプレートデータを読み出す。ここで、翻訳装置１Ａが、テンプレートデータ（ＩＤ１９７１−１＿１）を読み出したとする。この場合、翻訳装置１Ａは、ステップＳ２１０５においては肯定的な判断をし、翻訳装置１Ａは、処理をステップＳ２１１１に進める。
【０２７５】
図６６は、２度目のステップＳ２１１３の処理において、要素が書き込まれた後の要素バッファの状態を示した図である。図６６を参照して、翻訳装置１Ａは、「(&VB_EXPLAIN+v.kanou)」と「(&VB_PRONOUNCE+v.kanou)」と「(&VB_INTERPRET+v.kanou)」とを、要素バッファの日本語の欄に書き込む。また、翻訳装置１Ａは、「(&VB_EXPLAIN+inf) it in」と「(&VB_PRONOUNCE+inf) it in」と「(&VB_INTERPRET+inf) it in」とを、要素バッファの英語の欄に書き込む。なお、翻訳装置１Ａは、要素バッファの中国語の欄についても、日本語の欄および英語の欄と同様の処理を行なう。
【０２７６】
要素バッファの状態が、ステップＳ２１１３の処理により図６６に示す状態となった場合、要素内にラベルが存在するため、翻訳装置１Ａは、ステップＳ２１１５において肯定的な判断を行い、処理をステップＳ２１１７に進める。さらに、読み出した要素内に「（）」が存在するため、翻訳装置１Ａは、ステップＳ２１１７において肯定的な判断を行い、処理をステップＳ２１１９に進める。
【０２７７】
１度目のステップＳ２１１７の処理を行なった後、翻訳装置１Ａは、要素バッファの各言語の欄において、まず、「（」を「｛」に変更するとともに、「）」を「｝」に変更する。さらに、翻訳装置１Ａは、「｛」の後にスロット番号「２」を追記する。なお、図６７は、当該１度目のステップＳ２１１７の処理を行なった後の、要素バッファの状態を示した図である。
【０２７８】
当該ステップＳ２１１７の後、翻訳装置１ＡがステップＳ２１２３の処理を行なうことにより、処理待ちバッファには、テンプレートデータ（ＩＤ１９７１−１＿２）と、テンプレートデータ（ＩＤ１９７１−１＿３）と、図６８に示すテンプレートデータと、図６９に示すテンプレートデータと、図７０に示すテンプレートデータとが格納される。
【０２７９】
なお、図６８は、テンプレートデータ（ＩＤ１９７１−１＿１）を、図６７に示す要素１を用いて書き換えたテンプレートデータ（以下、「テンプレートデータ（ＩＤ１９７１−１＿１１）」と称する）を示した図である。また、図６９は、テンプレートデータ（ＩＤ１９７１−１＿１）を、図６７に示す要素２を用いて書き換えたテンプレートデータ（以下、「テンプレートデータ（ＩＤ１９７１−１＿１２）」と称する）を示した図である。図７０は、テンプレートデータ（ＩＤ１９７１−１＿１）を、図６７に示す要素３を用いて書き換えたテンプレートデータ（以下、「テンプレートデータ（ＩＤ１９７１−１＿１３）」と称する）を示した図である。
【０２８０】
ステップＳ２１２３の後は、ステップＳ２１０３において、翻訳装置１Ａは、処置待ちバッファから、上記５つのテンプレートデータのうち、１つのテンプレートデータを読み出す。
【０２８１】
図６０および図６１に示す一連の処理が完了した時点において、展開データ格納バッファには、図６８から図７６に示す９つのテンプレートデータが書き込まれている。
【０２８２】
なお、図７１は、テンプレートデータ（ＩＤ１９７１−１＿２）を、図６７に示す要素１を用いて書き換えたテンプレートデータを示した図である。図７２は、テンプレートデータ（ＩＤ１９７１−１＿２）を、図６７に示す要素２を用いて書き換えたテンプレートデータを示した図である。図７３は、テンプレートデータ（ＩＤ１９７１−１＿２）を、図６７に示す要素３を用いて書き換えたテンプレートデータを示した図である。
【０２８３】
また、図７４は、テンプレートデータ（ＩＤ１９７１−１＿３）を、図６７に示す要素１を用いて書き換えたテンプレートデータを示した図である。図７５は、テンプレートデータ（ＩＤ１９７１−１＿３）を、図６７に示す要素２を用いて書き換えたテンプレートデータを示した図である。図７６は、テンプレートデータ（ＩＤ１９７１−１＿３）を、図６７に示す要素３を用いて書き換えたテンプレートデータを示した図である。
【０２８４】
このように、翻訳装置１Ａは、図５７に示した１つのテンプレートデータに基づいて、図６３から図６５、および図７１から図７６に示した９つのテンプレートを生成することができる。
【０２８５】
なお、上記においては、図５７に示すとおり、複数の言語のテンプレートが１つのテンプレートデータに含まれる構成を例に挙げて説明したが、これに限定されるものではない。例えば、一つのテンプレートデータには一つの言語のテンプレートデータが含まれている構成としてもよい。この場合、上記一つの言語のテンプレートデータと対応関係にある他の言語のテンプレートデータが、当該一つの言語のテンプレートデータと関連付けられて記憶装置１３Ａに記憶されていればよい。
【０２８６】
以上説明したように、翻訳装置１Ａの記憶装置１３Ａには、少なくとも、日本語テンプレートを生成するための第１テンプレートと、当該日本語テンプレートと対応関係にある英語テンプレートとを生成するための第２テンプレートとが記憶されている。データ読出部２１Ａは、記憶装置１３Ａから第１テンプレートと第２テンプレートとを読出す。テンプレート生成部２７は、読出された第１テンプレートと第２テンプレートとに基づき、日本語テンプレートと当該テンプレートと対応関係にある英語テンプレートとをそれぞれ複数生成する。さらに、テンプレート生成部２７は、当該生成した日本語テンプレートと英語テンプレートとを記憶装置１３Ａに記憶させる。
【０２８７】
したがって、翻訳装置１Ａは、第１テンプレートから日本語テンプレートを複数生成できる。さらに、翻訳装置１Ａは、第２テンプレートから当該日本語テンプレートと対応関係にある英語テンプレートを複数生成することができる。
【０２８８】
それゆえ、翻訳装置１のように予め日本語テンプレートおよび英語テンプレートを記憶装置１３に記憶しておく構成に比べ、翻訳装置１Ａは、予め記憶しておくテンプレートの数を少なくすることができる。このため、翻訳装置１Ａは、翻訳装置１に比べて、テンプレートを記憶させておく領域の容量を小さくすることができる。
【０２８９】
また、第１テンプレートと第２テンプレートとは、所定の語句で構成された第１部と予め定められた複数の要素のうちの何れかの要素を選択可能な第２部とを含む。テンプレート生成部２７は、第１テンプレートおよび第２テンプレートにおいて互いに対応する位置の要素を、第１テンプレートおよび第２テンプレートにおいて順に選択することにより、日本語テンプレートと当該テンプレートに対応する英語テンプレートとをそれぞれ複数生成する。
【０２９０】
したがって、翻訳装置１Ａは、第２部に含まれる要素の数に応じた、日本語テンプレートおよび英語テンプレートを生成することができる。
【０２９１】
また、図５７に示したように、要素は可変部であってもよい。要素が可変部である場合には、翻訳装置１Ａは、要素が可変部でない場合よりも、数多くの文例を作成することができる。
【０２９２】
＜＜２．翻訳装置の具体的機能＞＞
＜１．概要＞
翻訳装置１の具体的機能の概要について、図７８から図８０に基づいて説明する。
【０２９３】
図７８は、変更前の文と、制御部１２に含まれる変更部３２（図１参照）による変更後の文とを示した図である。図７８を参照して、ユーザは、「＜＜１．翻訳装置の一般的機能＞＞」で示した翻訳装置１の機能を用いて、原文である文ＷＪ１０と、当該原文の訳文である文ＷＥ１０とを得る。つまり、翻訳装置１は、ユーザからの入力に基づき、日本語テンプレートと英語テンプレートとを用いて、対訳文を出力部１１に表示する。なお、当該具体的機能を実現するためには、上述したテンプレートは異なるテンプレートを利用する。テンプレートの構成については後述する（図８１参照）。
【０２９４】
ユーザから文ＷＪ１０、ＷＥ１０を過去形にする変更指示を翻訳装置１が受付けると、翻訳装置１は、文ＷＪ１０を過去形とした文ＷＪ１１と、文ＷＥ１０を過去形とした文ＷＥ１１とを出力部１１に表示する。
【０２９５】
図７９は、図７８とは異なる変更前の文と変更後の文とを示した図である。図７９を参照して、ユーザは、「＜＜１．翻訳装置の一般的機能＞＞」で示した翻訳装置１の機能を用いて、原文である文ＷＪ２０と、当該原文の訳文である文ＷＥ２０とを得る。ユーザから文ＷＪ２０、ＷＥ２０を過去形かつ否定形かつ可能を意味する文に変更する変更指示を翻訳装置１が受付けると、翻訳装置１は、文ＷＪ２０を当該変更指示に応じて変更した文ＷＪ２１と、文ＷＥ２０を当該変更指示に応じて変更した文ＷＥ２１とを出力部１１に表示する。
【０２９６】
図８０は、接続前の文と、制御部１２に含まれる接続部３３（図１参照）による接続後の文とを示した図である。図８０を参照して、翻訳装置１は、上記変更後の文ＷＪ１１と上記変更後の文ＷＪ２１とを接続した文ＷＪ３０を出力部１１に表示する。また、翻訳装置１は、上記変更後の文ＷＥ１１と上記変更後の文ＷＥ２１とを接続した文ＷＥ３０を出力部１１に表示する。
【０２９７】
翻訳装置１は、当該接続の際には、ユーザの指定に基づく語句（たとえば、「So」）を用いて、上記文の接続を行なう。さらに、翻訳装置１は、接続対象となる２つ文のそれぞれに同一の固有名詞が含まれる場合、一方の文（後に配される文）の固有名詞を代名詞に置換する。たとえば、文ＷＥ３０に示すとおり、２文目の「Tom」を「he」に置換する。
【０２９８】
以下、図７８から図８０に示した処理を実行するための翻訳装置１が備える構成について、図８１から図１０６に基づいて説明する。
【０２９９】
＜２．データ＞
図８１は、翻訳装置１の具体的機能を実現するための用いるテンプレートを示した図である。なお、テンプレートは図８１のようなテンプレートに限定されず、「he」、「eat」、「apple」、および当該各語句に対応する日本語の各語句の箇所が、可変部になっているテンプレートであってもよい。つまり、当該各可変部を置換することにより、図８１に示す日本語の文および英語の文が生成されるようなテンプレートであってもよい。
【０３００】
以下では、説明の便宜上、図８１のようなテンプレートが記憶装置１３に格納されているとして説明する。また、説明の便宜上、日本語と英語との対訳文を示す場合を例に挙げて説明する。
【０３０１】
図８２は、文を変更するためのテーブルＴＢ１を示した図である。なお、当該テーブルＴＢ１は、記憶装置１３に予め格納されている。図８２を参照して、テーブルＴＢ１には、「助動詞」、「時制」、および「構文」の組に、「vj」、「aj」、「se」、「ve」、「ae1」、「ae2」、および「m」が対応付けられている。
【０３０２】
たとえば、「助動詞」、「時制」、および「構文」のｉ番目の組は、「助動詞」に関する指定がなく、「時制」が現在形、かつ「構文」が疑問形を示した組である。この組の場合、一例として、「vj」として「+ren」、「se」として「-i」が対応付けられている。なお、「φ」は、指定がないことを示した記号である。また、「助動詞」、「時制」、および「構文」のｋ番目の組は、「助動詞」が進行形を示した助動詞であって、「時制」が未来形、かつ「構文」が否定形を示した組である。
【０３０３】
図８３は、「助動詞」、「時制」、および「構文」の初期の状態を示したデータである。図８３を参照して、「助動詞」、「時制」、および「構文」は、全て指定がない状態となっている。
【０３０４】
図８４は、翻訳装置１がユーザの指示に基づき図８３に示したデータの内容を更新した後のデータの状態を示した図である。具体的には、図８４は、「助動詞」が、「φ」から進行形を示した助動詞に変更され、「時制」が「φ」から未来形へ変更され、かつ「構文」が「φ」から否定形へ変更された後の状態を示した図である。つまり、図８４は、「助動詞」、「時制」、および「構文」のｋ番目の組が選択されたことを示した図である。
【０３０５】
なお、以下では、図８３、８４のように、「助動詞」、「時制」、および「構文」の状態を示したデータを、「変更指示データ」と称する。
【０３０６】
図８５は、図８４の変更指示データに基づき、図８１のテンプレートを図８２のテーブルＴＢ１を用いて変更した後のテンプレートの状態を示した図である。以下では、テンプレートに含まれる語句や記号の並びを、「要素」とも称する。
【０３０７】
図８５を参照して、要素Ｗ３１１は、テーブルＴＢ１（図８２参照）における上記ｋ番目の組の「vj」の欄の記載に基づいて、図８１の要素Ｗ３０１を変更した後の要素である。図８５の要素Ｗ３１２は、テーブルＴＢ１におけるｋ番目の組の「aj」の記載に基づいて、図８１の要素Ｗ３０２を変更した後の要素である。図８５の要素Ｗ４１１は、テーブルＴＢ１におけるｋ番目の組の「ve」の記載に基づいて、図８１の要素Ｗ４０１を変更した後の要素である。図８５の要素Ｗ４１２は、テーブルＴＢ１におけるｋ番目の組の「ae2」の記載に基づいて、図８１の要素Ｗ４０２を変更した後の要素である。
【０３０８】
図８６は、翻訳装置１が図８５に示すテンプレートに基づいて生成した文を示した図である。つまり、図８６は、翻訳装置１がテンプレートＴＰ１、ＴＰ２（図８１参照）に基づいて生成した文を示した図でもある。図８６を参照して、翻訳装置１は、テンプレートＴＰ１、ＴＰ２に基づき、進行形、未来形、かつ否定形である、日本語の文ＷＪ４０および英語の文ＷＥ４０を生成する。なお、文ＷＪ４０が原文であり、文ＷＥ４０が当該原文に対する訳文である。
【０３０９】
図８７は、翻訳装置１がユーザの指示に基づき図８３に示したデータの内容を更新した後のデータ（変更指示データ）の他の状態を示した図である。具体的には、図８７は、「時制」が「φ」から現在形へ変更され、かつ「構文」が「φ」から疑問形へ変更された後の状態を示した図である。つまり、図８７は、図８２におけるｉ番目の組が選択されたことを示した図である。
【０３１０】
図８８は、図８８の変更指示データに基づき、図８１のテンプレートを図８２のテーブルＴＢ１を用いて変更した後のテンプレートの状態を示した図である。
【０３１１】
図８８を参照して、要素Ｗ３２１は、テーブルＴＢ１（図８２参照）における上記ｉ番目の組の「vj」の欄の記載に基づいて、図８１の要素Ｗ３０１を変更した後の要素である。図８８の要素Ｗ３２２は、テーブルＴＢ１におけるｉ番目の組の「aj」の記載に基づいて、図８１の要素Ｗ３０２を変更した後の要素である。図８８の要素Ｗ４２１は、テーブルＴＢ１におけるｉ番目の組の「ve」の記載に基づいて、図８１の要素Ｗ４０１を変更した後の要素である。図８８の要素Ｗ４２２は、テーブルＴＢ１におけるｉ番目の組の「ae2」の記載に基づいて、図８１の要素Ｗ４０２を変更した後の要素である。
【０３１２】
また、図８８の要素Ｗ４２３は、テーブルＴＢ１におけるｉ番目の組の「se」の記載に基づいて、図８１の要素Ｗ４０３を変更した後の要素である。図８８の要素Ｗ４２４は、テーブルＴＢ１におけるｉ番目の組の「ae1」の記載に基づいて、図８１の要素Ｗ４０４を変更した後の要素である。
【０３１３】
図８９は、翻訳装置１が図８８に示すテンプレートに基づいて生成した文を示した図である。つまり、図８９は、翻訳装置１がテンプレートＴＰ１、ＴＰ２（図８１参照）に基づいて生成した文を示した図でもある。図８９を参照して、翻訳装置１は、テンプレートＴＰ１、ＴＰ２に基づき、現在形かつ疑問形である、日本語の文ＷＪ５０および英語の文ＷＥ５０を生成する。なお、文ＷＪ５０が原文であり、文ＷＥ５０が当該原文に対する訳文である。
【０３１４】
図９０は、文と文との接続に用いられるテーブルＴＢ２した図である。なお、当該テーブルＴＢ２は、記憶装置１３に予め格納されている。図９０を参照して、テーブルＴＢ２においては、接続情報と、日本語文接続のテンプレートと、英語文接続のテンプレートと、生成条件とが対応付けられている。
【０３１５】
たとえば、１番目の組（つまり、Ｎｏ．１）には、接続情報として、「順接」が対応付けられている。また、当該接続情報には、順接で文と文とを接続する場合における、日本語文接続のテンプレートと、英語文接続のテンプレートとが対応付けられている。当該テーブルＴＢ２の利用方法については後述する。なお、以下では、日本語文接続のテンプレート、および英語文接続のテンプレートとのそれぞれを、「接続テンプレート」とも称する。
【０３１６】
また、テーブルＴＢ２は、日本語の複数の接続詞と、英語の複数の接続詞とを記憶した構成である。より詳しくは、テーブルＴＢ２は、日本語と英語とに関し、１つ以上の等位接続詞と１つ以上の従属接続詞とを記憶した構成である。
【０３１７】
次に、生成条件について説明する。生成条件は、文と文とを接続する際に、語句の変更等を行なう条件を規定したものである。一例として、図９０の生成条件に規定された内容を説明すると以下のとおりである。図９０の生成条件では、以下の３つの条件が整うと、以下の生成処理を行なう。
【０３１８】
条件１：可変部「{sentA}」において置換された文と、可変部「{sentB}」において置換された文とに同一の語が存在する。
【０３１９】
条件２：上記同一の語が名詞である。
条件３：上記同一の語が代名詞ではない。
【０３２０】
生成処理：可変部「{sentB}」において置換された文における上記同一の語を代名詞に変更する。
【０３２１】
翻訳装置１は、当該生成処理を行なうことにより、たとえば、図８０に示したように、「Tom」を「he」に変更する。なお、図９０に示した生成条件は、一例であって、これに限定されるものではない。
【０３２２】
図９１は、文と文とを接続する際に、当該文と文とを一時的に格納するテーブルＴＢ３を示した図である。図９１を参照して、「sentA」と「日本語文」とにより特定される欄には、１つ目の日本語の文が格納される。「sentB」と「日本語文」とにより特定される欄には、２つ目の日本語の文が格納される。「sentA」と「英語文」とにより特定される欄には、１つ目の英語の文が格納される。「sentB」と「英語文」とにより特定される欄には、２つ目の英語の文が格納される。なお、詳細については後述するが、翻訳装置１は、「sentB」の各欄に、「sentA」に続く文を格納する。
【０３２３】
＜３．機能ブロック＞
再び図１を参照して、後述する文変更処理と文接続処理とに分けて、翻訳装置１の制御部１２における、受付部３１、変更部３２、および接続部３３について説明する。
【０３２４】
（文変更処理）
図７８、７９に示したように文を変更する処理（以下、「文変更処理」とも称する）について説明する。前提として、表示制御部２５は、日本語による文である第１原文と、対訳テンプレートを用いて当該第１原文を翻訳することにより得られた英語による文である第１訳文とを出力部１１に表示させる。
【０３２５】
受付部３１は、上記第１原文と上記第１訳文とが出力部１１に表示された状態で、入力部１０を介して、当該第１原文と当該第１訳文との内容を変更するための指示（以下、「第１指示」と称する）を受け付ける。変更部３２は、上記第１指示に基づき、上記第１原文と上記第１訳文との内容を変更する。なお、第１指示は、第１原文および第１訳文について、時制を変更する指示、並びに、肯定文、否定文、および疑問文のいずれかへの変更する指示のうちのいずれかの指示である。表示制御部２５は、当該変更後の第１原文と当該変更後の第１訳文とを出力部１１に表示させる。
【０３２６】
（文接続処理）
図８０に示したように、同一言語の２つの文を接続する処理（以下、「文接続処理」とも称する）について説明する。表示制御部２５は、日本語による文である第２原文と当該第２原文に対応する英語による文である第２訳文とが新たに生成されたことに基づき、さらに、当該第２原文と当該第２訳文とを出力部１１に表示させる。
【０３２７】
受付部３１は、入力部１０を介して、上記第２原文と上記第２訳文との内容を変更するための指示（以下、「第２指示」と称する）をさらに受け付ける。変更部３２は、上記第２指示に基づき、上記第２原文と上記第２訳文との内容を変更する。さらに、受付部３１は、入力部１０を介して、当該変更後の第１原文と当該変更後の第２原文とを接続するとともに当該変更後の第１訳文と当該変更後の第２訳文とを接続するための指示（以下、「第３指示」と称する）、および当該接続の態様を指定する指示（以下、「第４指示」と称する）を受け付ける。なお、当該第４指示は、１つ以上の等位接続詞および１つ以上の従属接続詞のうちのいずれかを指定を含む指示である。
【０３２８】
接続部３３は、上記第３指示および上記第４指示に基づいて、当該変更後の第１原文と、当該変更後の第２原文とを接続するとともに、当該変更後の第１訳文と当該変更後の第２訳文とを接続する。表示制御部２５は、当該接続後の文章を出力部１１に表示させる。
【０３２９】
また、接続部３３は、複数の接続詞（テーブルＴＢ２参照）のうちの上記第４指示に基づく接続詞を用いて、変更後の第１原文と変更後の第２原文とを接続するとともに、接続変更後の第１訳文と変更後の第２訳文とを接続する構成でもある。
【０３３０】
受付部３１は、さらに、入力部１０を介して、変更後の第１訳文と変更後の第２訳文との接続の順番を指定する指示（以下、「第５指示」と称する）を受け付ける。接続部３３は、当該第５指示に基づき、変更後の第１訳文と変更後の第２訳文とを当該順番で接続するとともに、変更後の第１訳文と変更後の第２訳文とを当該順番で接続する。
【０３３１】
なお、上記においては、翻訳装置１の接続部３３が変更後の文同士を接続する構成を例に挙げて説明したが、これに限定されるものではない。たとえば、接続部３３は、ユーザの指示に基づき、同一言語の２つの文について、変更後の文（たとえば、図７８の文ＷＥ１１）と変更前の文（たとえば、図７９の文ＷＥ２０）とを接続してもよい。
【０３３２】
＜４．具体例＞
翻訳装置１の文変更処理および文接続処理について、図９２から図１０１に基づいて、より具体的に説明する。
【０３３３】
図９２は、ユーザが上記文変更処理と上記文接続処理とを行なうために、翻訳装置１が表示する画像９００（グラフィカルユーザインターフェイス（ＧＵＩ））を示した図である。すなわち、図９２は、翻訳装置１の出力部１１に表示される画像である。
【０３３４】
図９２を参照して、画像９００は、ボタン９０１、９０３、９０４、９０５と、第１表示領域９０２と、プルダウンメニュー９１０、９２０、９３０と、オプションメニュー９４０と、第２表示領域９６０とを含む。
【０３３５】
ボタン９０１は、新規例文を検索するための入力を受け付けるボタンである。すなわち、ボタン９０１は、図８１のような型を有するテンプレートを用いて、たとえば図７８の文ＷＪ１０、ＷＥ１０、あるいは図７９の文ＷＪ２０、ＷＥ２０の生成をユーザが指示するためのボタンである。
【０３３６】
ボタン９０３は、ユーザが文変更処理を翻訳装置１に指示するためのボタンである。ボタン９０４は、ユーザが文を移動する処理（以下、「文移動処理」と称する）を翻訳装置１に指示するためのボタンである。ボタン９０５は、ユーザが文接続処理を翻訳装置１に指示するためのボタンである。
【０３３７】
プルダウンメニュー９１０は、時制を選択するためのメニューである。プルダウンメニュー９２０は、構文を選択するためのメニューである。プルダウンメニュー９３０は、接続情報を選択するためのメニューである。オプションメニュー９４０は、複数の項目から少なくとも１つの項目をユーザが選択するためのメニューである。オプションメニューは、たとえば、ラジオボタンである。また、オプションメニュー９４０を、複数のチェックボックスを備えるメニューとして構成してもよい。
【０３３８】
第１表示領域９０２は、翻訳装置１が処理対象文と処理済文とを表示する領域である。なお、「処理対象文」とは、図７８に示した文ＷＪ１０、ＷＥ１０や図７９に示した文ＷＪ２０、ＷＥ２０といった、文変更処理を行なう前の文である。「処理対象文」とは、図７８に示した文ＷＪ１１、ＷＥ１１や図７９に示した文ＷＪ２１、ＷＥ２１といった、文変更処理を行なうことにより得られる文である。
【０３３９】
第２表示領域９６０は、主として、生成された文章を表示するための領域である。ここで、文章とは、複数の文から構成されるものをいう。第２表示領域９６０は、英文の表示領域である英語訳文表示領域９６１と日本語の表示領域である日本語原文表示領域９６２とを含む。
【０３４０】
以下、図７８から図８０に示した文変更処理と文接続処理とが、どのように実現されるかについて説明する。
【０３４１】
図９３は、翻訳装置１が、文ＷＪ１０と文ＷＥ１０とを生成し、当該文ＷＪ１０と文ＷＥ１０とを第１表示領域９０２に表示した状態を示した図である。図９３を参照して、翻訳装置１は、当該文ＷＪ１０と文ＷＥ１０とを、第１表示領域９０２の処理対象文の領域に表示する。
【０３４２】
図９４は、図９３の状態から、ユーザが、プルダウンメニュー９１０により時制を選択するとともに、プルダウンメニュー９２０により構文を選択した場合における画像９００を示した図である。具体的には、図９４は、ユーザによる選択指示に基づき、時制として「過去」を示す語句Ｗ９１１が選択され、構文として「肯定」を示す語句Ｗ９２１が選択された状態を示した図である。
【０３４３】
図９５は、図９４の状態から、ユーザが、ボタン９０３を選択した場合における画像９００を示した図である。図９５を参照して、ボタン９０３の選択に基づく文変更処理の指示が入力されると、翻訳装置１は、文ＷＪ１０と文ＷＥ１０とを変更し、当該変更後の文ＷＪ１１と変更後の文ＷＥ１１とを第１表示領域９０２の処理済文の領域に表示する。
【０３４４】
図９６は、図９５の状態から、ユーザが、ボタン９０４を選択した場合における画像９００を示した図である。図９６を参照して、ボタン９０４の選択に基づく文移動処理の指示が入力されると、翻訳装置１は、文ＷＪ１１および文ＷＥ１１を、第１表示領域９０２から第２表示領域９６０に移動する。より具体的には、文移動処理の指示が入力されると、翻訳装置１は、第１表示領域９０２に表示した４つの文ＷＪ１０、ＷＥ１０、ＷＪ１１、ＷＥ１１を非表示とする。さらに、翻訳装置１は、英語訳文表示領域９６１に文ＷＥ１１を表示するとともに、日本語原文表示領域９６２に文ＷＪ１１を表示する。
【０３４５】
図９７は、図９６の状態から、翻訳装置１が、文ＷＪ２０と文ＷＥ２０とを生成し、当該文ＷＪ２０と文ＷＥ２０とを第１表示領域９０２に表示した状態を示した図である。図９７を参照して、翻訳装置１は、当該文ＷＪ２０と文ＷＥ２０とを、第１表示領域９０２の処理対象文の領域に表示する。
【０３４６】
図９８は、図９７の状態から、ユーザが、プルダウンメニュー９１０により時制を選択し、プルダウンメニュー９２０により構文を選択し、オプションメニュー９４０から１つの項目を選択した場合における画像９００を示した図である。具体的には、図９８は、ユーザによる選択指示に基づき、時制として「過去」を示す語句Ｗ９１１が選択された状態の図である。また、図９８は、ユーザによる選択指示に基づき、構文として「否定」を示す語句Ｗ９２２が選択された状態を示した図である。さらに、図９８は、ユーザによる選択指示に基づき、「可能」を示す語句Ｗ９４１が選択された状態を示した図でもある。
【０３４７】
図９９は、図９８の状態から、ユーザが、ボタン９０３を選択した場合における画像９００を示した図である。図９９を参照して、ボタン９０３の選択に基づく文変更処理の指示が入力されると、翻訳装置１は、文ＷＪ２０と文ＷＥ２０とを変更し、当該変更後の文ＷＪ２１と変更後の文ＷＥ２１とを第１表示領域９０２の処理済文の領域に表示する。
【０３４８】
図１００は、図９９の状態から、ユーザが、プルダウンメニュー９３０により接続情報を選択した場合における画像９００を示した図である。より詳しくは、図１００は、ユーザが、プルダウンメニュー９３０により、接続情報の１つである「結果」を示す語句Ｗ９３１を選択した状態を示した図である。図１００を参照して、翻訳装置１は、ガイダンス表示Ｗ９３２を、語句Ｗ９３１に対応付けて表示する。
【０３４９】
ガイダンス表示Ｗ９３２は、図９０に示した日本語文接続に基づく情報を含む。より詳しくは、ガイダンス表示Ｗ９３２は、図９０における５番目の組（つまりＮｏ．５）の日本語接続文を含む。さらに、ガイダンス表示Ｗ９３２は、図９０における「sentA」に割り当てる文を選択することをユーザに促す表示を含む。より詳しくは、ガイダンス表示Ｗ９３２は、表示されている処理済文ＷＪ２１と、表示されている日本語原文ＷＪ１１とから、「sentA」に割り当てる文を選択することをユーザに促す表示を含む。
【０３５０】
図１０１は、ユーザが、マウス等の入力部１０により「sentA」を選択した後、ボタン９０５を選択した後の状態を示した図である。より具体的には、ユーザが、「sentA」として処理済文である文ＷＪ１１を選択した後、ボタン９０５を選択した後の状態を示した図である。
【０３５１】
図１０２は、「sentA」として処理済文ＷＪ１１が選択された場合における、テーブルＴＢ３を示した図である。図１０２を参照して、「sentA」の日本語文の欄には、文ＷＪ１１が記憶される。また、「sentA」の英語文の欄には、文ＷＥ１１が記憶される。また、「sentA」の選択に基づき、翻訳装置１は、「sentB」に割り当てる文を特定する。「sentA」として文ＷＪ１１が選択された場合、翻訳装置１は、文ＷＪ２１を「sentB」に割り当てる文として特定する。
【０３５２】
図１０３は、文ＷＪ２１を「sentB」に割り当てる文として特定した場合における、テーブルＴＢ３を示した図である。図１０３を参照して、「sentA」の日本語文の欄には、文ＷＪ２１が記憶される。また、「sentA」の英語文の欄には、文ＷＥ２１が記憶される。
【０３５３】
再び、図１０１を参照して、翻訳装置１は、英語訳文表示領域９６１に文ＷＥ３０を表示するとともに、日本語原文表示領域９６２に文ＷＪ３０を表示する。
【０３５４】
以上により、図８０において説明したように、翻訳装置１は、変更後の日本語の文ＷＪ１１、ＷＪ２１を接続した日本語の文ＷＪ３０と、変更後の英語の文ＷＥ１１、ＷＥ２１を接続した英語の文ＷＥ３０とを表示することができる。したがって、ユーザは、接続後の文ＷＪ３０、ＷＥ３０を確認することができる。
【０３５５】
また、翻訳装置１は、文変更処理の際、処理対象文をユーザが所望する時制の文に変更することができる。したがって、ユーザは、時制を変更した後の文を確認することができる。
【０３５６】
また、翻訳装置１は、文変更処理の際、処理対象文を、ユーザの指示に応じて、肯定文、否定文、および疑問文のいずれかへの変更することができる。したがって、ユーザは、肯定文、否定文、あるいは疑問文に変更した後の文を確認することができる。
【０３５７】
また、翻訳装置１は、上述した文変更処理を行なうため、ユーザが新たに一から文を作り直すといった作業が不要となる。また、図８１に示した型のテンプレートを用いることにより記憶装置１３が格納するテンプレートの数を減らすことができる。
【０３５８】
また、翻訳装置１は、文接続処理の際、ユーザが所望する態様の接続詞を用いて文と文とを接続することができる。また、２つの訳文を接続する場合、接続の順番をユーザがしていることができる。したがって、文を作成した順序に関わらず、文と文とを接続することが可能となる。
【０３５９】
なお、上述したように、接続する各日本語文および接続する各英語文は、必ずしも変更部３２による変更処理が行なわれたものである必要はない。たとえば、文変更処理を行っていない日本語文（あるいは英語文）と、文変更処理を行っていない日本語文（あるいは英語文）とを接続してもよい。また、文変更処理を行っていない日本語文（あるいは英語文）と、変更後の日本語文（英語文）とを接続してもよい。
【０３６０】
また、上記おいては、２つの文を接続する例を挙げて説明したが、これに限定されるものではない。翻訳装置１は、２つの文を接続した後、さらに１つの文を接続することも可能である。たとえば、図１０１に示した状態において、さらに、日本語の文と当該文に対応する英語の文とを生成し、当該生成した文あるいは当該生成した文を文変更処理した文と、第２表示領域に表示されている文ＷＪ３０，ＷＥ３０とを上記文接続処理により接続することにより実現できる。また、翻訳装置１は、同様の処理を繰り返すことにより、４つ以上の文を接続することもできる。
【０３６１】
＜５．制御構造＞
図１０４は、翻訳装置１の処理の流れを示すフローチャートである。図１０４を参照して、ステップＳ３０１において、翻訳装置１は、図９２に示す画像９００が表示されている状態において、テンプレート検索およびテンプレートを用いた文の生成を行なう。ステップＳ３０２において、翻訳装置１は、入力を受け付ける。ステップＳ３０３において、翻訳装置１は、文の変更指示を受け付けたか否かを判断する。具体的には、翻訳装置１は、画像９００に含まれるボタン９０３が選択されたか否かを判断する。
【０３６２】
翻訳装置１は、文の変更指示を受け付けたと判断した場合（ステップＳ３０３においてＹＥＳ）、ステップＳ３０６において文変更処理を行なう。ステップＳ３０７において、翻訳装置１は、第１表示領域９０２へ変更結果の出力を行なう。つまり、翻訳装置１は、変更した文を、処理済文の領域（図９５等参照）に表示する。
【０３６３】
翻訳装置１は、文の変更指示を受け付けていないと判断した場合（ステップＳ３０３においてＮＯ）、ステップＳ３０４において、文の移動指示を受け付けたか否かを判断する。具体的には、翻訳装置１は、画像９００に含まれるボタン９０４が選択されたか否かを判断する。
【０３６４】
翻訳装置１は、文の移動指示を受け付けたと判断した場合（ステップＳ３０４においてＹＥＳ）、第２表示領域９６０への出力を行なう。具体的には、翻訳装置１は、第１表示領域の処理済文の表示領域に表示された文を非表示とし、当該文を第２表示領域９６０に表示させる処理を行なう（図９６参照）。
【０３６５】
翻訳装置１は、文の移動指示を受け付けていないと判断した場合（ステップＳ３０４においてＮＯ）、ステップＳ３０５において、文と文との接続指示を受け付けたか否かを判断する。具体的には、翻訳装置１は、画像９００に含まれるボタン９０５が選択されたか否かを判断する。さらに、翻訳装置１は、「sentA」が選択されたか否かについても判断する。
【０３６６】
翻訳装置１は、文と文との接続指示を受け付けたと判断した場合（ステップＳ３０５においてＹＥＳ）、ステップＳ３０８において文接続処理を行なう。翻訳装置１は、文と文との接続指示を受け付けていないと判断した場合（ステップＳ３０５においてＮＯ）、処理を終了する。
【０３６７】
図１０５は、図１０４のステップＳ３０６に示した文変更処理の詳細を示した図である。図１０５を参照して、翻訳装置１は、ステップＳ３０６１において、入力情報を抽出する。ここで、入力情報とは、入力部１０を介して、ユーザによって入力された情報をいう。当該入力情報には、「時制」についての情報、「構文」についての情報、「オプション」についての情報、接続情報等が含まれる。翻訳装置１は、文変更処理においては、「時制」についての情報、「構文」についての情報、「オプション」についての情報を用いる。
【０３６８】
翻訳装置１は、ステップＳ３０６２において、変更する文のテンプレートを選択する。たとえば、翻訳装置１は、「He eats an apple」といった訳文と当該訳文の原文とを第１表示領域９０２の処理対象文として表示している場合、当該訳文と当該原文の基となった、図８１に示すテンプレートＴＰ１、ＴＰ２を選択する。
【０３６９】
翻訳装置１は、ステップＳ３０６３において、上記抽出した入力情報とテーブルＴＢ１（図８２参照）とに基づき、選択したテンプレートにおいて置換処理を行なう。翻訳装置１は、たとえば、図８５および図８８に基づいて説明した置換処理を行なう。翻訳装置１は、ステップＳ３０６４において、出力文を生成する。翻訳装置１は、たとえば、図８６および図８９に示した文を生成する。
【０３７０】
図１０６は、図１０４のステップＳ３０８に示した文接続処理の詳細を示した図である。図１０６を参照して、翻訳装置１は、ステップＳ３０８１において、入力情報を抽出する。文接続処理においては、抽出した入力情報のうちの接続情報を用いる。
【０３７１】
翻訳装置１は、ステップＳ３０８２において、抽出した入力情報である接続情報に基づいて、接続テンプレート（図９０参照）を選択する。翻訳装置１は、たとえば、接続情報が「結果」を示すものである場合、図９０の５番目の組に対応付けられた接続テンプレートを選択する。
【０３７２】
翻訳装置１は、ステップＳ３０８３において、選択した接続テンプレート内の可変部を抽出する。なお、図９０の接続テンプレートにおいては、「{sentA}」および「{sentB}」が可変部となる。翻訳装置１は、ステップＳ３０８４において、未決定の可変部が存在するか否かを判断する。翻訳装置１は、たとえば、「{sentA}」および「{sentB}」に割り当てる文が未決定か否かを判断する。
【０３７３】
翻訳装置１は、未決定の可変部が存在すると判断した場合（ステップＳ３０８４において、ステップＳ３０８７において、可変部への選択入力を受け付ける。つまり、翻訳装置１は、ユーザから、未決定の可変部に割り当てる文の指定を受け付ける。
【０３７４】
翻訳装置１は、未決定の可変部が存在しないと判断した場合(ステップＳ３０８４においてＮＯ）、ステップＳ３０８５において、可変部に関する入力情報を挿入する。つまり、翻訳装置１は、選択した接続テンプレートの可変部（たとえば、「{sentA}」、「{sentB}」）に、文を挿入する。翻訳装置１は、ステップＳ３０８６において、生成条件（図９０参照）に基づく処理を行なう。
【０３７５】
＜６．その他＞
（１）「＜＜２．翻訳装置の具体的機能＞＞」においては、翻訳装置１の具体的機能を述べたが、当該具体的な機能を翻訳装置１Ａが備える構成としてもよい。
【０３７６】
（２）今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０３７７】
＜付記＞
（１）対訳テンプレートを用いて第１言語による文を第２言語による文に翻訳する翻訳装置１であって、翻訳装置１は、第１言語による文である第１原文と、対訳テンプレートを用いて当該第１原文を翻訳することにより得られた第２言語による文である第１訳文とを出力部１１に表示させる表示制御部２５と、第１原文と第１訳文とが表示された状態で、入力部１０を介して、第１訳文の内容を変更するための第１指示を受け付ける受付部３１と、第１指示に基づき、第１訳文の内容を変更する変更部３２とを備える。表示制御部２５は、変更後の第１訳文を出力部１１に表示させる。
【０３７８】
（２）表示制御部２５は、第１言語による文である第２原文と当該第２原文に対応する第２言語による文である第２訳文とが新たに生成されたことに基づき、当該第２原文と当該第２訳文とを出力部１１に表示させる。受付部３１は、入力部１０を介して、第２訳文の内容を変更するための第２指示をさらに受け付ける。変更部３２は、第２指示に基づき、第２訳文の内容を変更する。受付部３１は、入力部１０を介して、変更後の第１訳文と変更後の第２訳文とを接続するための第３指示、および当該接続の態様を指定する第４指示をさらに受け付ける。翻訳装置１は、第３指示および第４指示に基づいて、変更後の第１訳文と、変更後の第２訳文とを接続する接続部３３をさらに備える。表示制御部２５は、接続後の文章を出力部１１に表示させる。
【０３７９】
（３）翻訳装置１は、複数の接続詞を格納した記憶装置をさらに備える。接続部３３は、複数の接続詞のうちの第４指示に基づく接続詞を用いて、変更後の第１訳文と、変更後の第２訳文とを接続する。
【０３８０】
（４）受付部３１は、入力部１０を介して、変更後の第１訳文と、変更後の第２訳文との接続の順番を指定する第５指示をさらに受け付ける。接続部３３は、第５指示に基づき、変更後の第１訳文と、変更後の第２訳文とを順番で接続する。
【０３８１】
（５）第１指示は、第１訳文について、時制を変更する指示、並びに、肯定文、否定文、および疑問文のいずれかへの変更する指示のうちのいずれかの指示である。
【０３８２】
（６）記憶装置は、さらに、１つ以上の等位接続詞および１つ以上の従属接続詞をさらに格納している。第４指示は、１つ以上の等位接続詞および１つ以上の従属接続詞のうちのいずれかを指定する指示である。
【０３８３】
（７）表示制御部２５は、第１言語による文である第２原文と当該第２原文に対応する第２言語による文である第２訳文とが生成されたことに基づき、当該第２原文と当該第２訳文とを出力部１１に表示させる。受付部３１は、入力部１０を介して、変更後の第１訳文と第２訳文とを接続するための第２指示、および当該接続の態様を指定する第３指示を、さらに受け付ける。翻訳装置１は、第２指示および第３指示に基づいて、変更後の第１訳文と、第２訳文とを接続する接続部３３をさらに備える。表示制御部２５は、接続後の文章を出力部１１に表示させる。
【符号の説明】
【０３８４】
１  翻訳装置、１Ａ  翻訳装置、１０  入力部、１１  出力部、１２  制御部、１２Ａ  制御部、１３  記憶装置、１３Ａ  記憶装置、１４  メモリ、１４Ａ  メモリ、２０  抽出部、２１  データ読出部、２１Ａ  データ読出部、２２  判定部、２３  選択部、２４  置換部、２５  表示制御部、２６  出力文整形部、２７  テンプレート生成部、３１  受付部、３２  変更部、３３  接続部、４０  辞書検索部、４１  スロット置換部、４２  共起置換部、４３  変化形探索部、４４  未入力箇所置換部。
【図１】
2011048576.tif 000003
【図２】
2011048576.tif 000004
【図３】
2011048576.tif 000005
【図４】
2011048576.tif 000006
【図５】
2011048576.tif 000007
【図６】
2011048576.tif 000008
【図７】
2011048576.tif 000009
【図８】
2011048576.tif 000010
【図９Ａ】
2011048576.tif 000011
【図９Ｂ】
2011048576.tif 000012
【図１０】
2011048576.tif 000013
【図１１】
2011048576.tif 000014
【図１２】
2011048576.tif 000015
【図１３】
2011048576.tif 000016
【図１４】
2011048576.tif 000017
【図１５】
2011048576.tif 000018
【図１６】
2011048576.tif 000019
【図１７】
2011048576.tif 000020
【図１８】
2011048576.tif 000021
【図１９】
2011048576.tif 000022
【図２０Ａ】
2011048576.tif 000023
【図２０Ｂ】
2011048576.tif 000024
【図２１】
2011048576.tif 000025
【図２２】
2011048576.tif 000026
【図２３】
2011048576.tif 000027
【図２４】
2011048576.tif 000028
【図２５】
2011048576.tif 000029
【図２６】
2011048576.tif 000030
【図２７】
2011048576.tif 000031
【図２８】
2011048576.tif 000032
【図２９Ａ】
2011048576.tif 000033
【図２９Ｂ】
2011048576.tif 000034
【図３０】
2011048576.tif 000035
【図３１】
2011048576.tif 000036
【図３２】
2011048576.tif 000037
【図３３】
2011048576.tif 000038
【図３４】
2011048576.tif 000039
【図３５】
2011048576.tif 000040
【図３６】
2011048576.tif 000041
【図３７】
2011048576.tif 000042
【図３８】
2011048576.tif 000043
【図３９】
2011048576.tif 000044
【図４０】
2011048576.tif 000045
【図４１】
2011048576.tif 000046
【図４２】
2011048576.tif 000047
【図４３】
2011048576.tif 000048
【図４４】
2011048576.tif 000049
【図４５】
2011048576.tif 000050
【図４６】
2011048576.tif 000051
【図４７】
2011048576.tif 000052
【図４８】
2011048576.tif 000053
【図４９】
2011048576.tif 000054
【図５０】
2011048576.tif 000055
【図５１】
2011048576.tif 000056
【図５２】
2011048576.tif 000057
【図５３】
2011048576.tif 000058
【図５４】
2011048576.tif 000059
【図５５】
2011048576.tif 000060
【図５６】
2011048576.tif 000061
【図５７】
2011048576.tif 000062
【図５８】
2011048576.tif 000063
【図５９】
2011048576.tif 000064
【図６０】
2011048576.tif 000065
【図６１】
2011048576.tif 000066
【図６２】
2011048576.tif 000067
【図６３】
2011048576.tif 000068
【図６４】
2011048576.tif 000069
【図６５】
2011048576.tif 000070
【図６６】
2011048576.tif 000071
【図６７】
2011048576.tif 000072
【図６８】
2011048576.tif 000073
【図６９】
2011048576.tif 000074
【図７０】
2011048576.tif 000075
【図７１】
2011048576.tif 000076
【図７２】
2011048576.tif 000077
【図７３】
2011048576.tif 000078
【図７４】
2011048576.tif 000079
【図７５】
2011048576.tif 000080
【図７６】
2011048576.tif 000081
【図７７】
2011048576.tif 000082
【図７８】
2011048576.tif 000083
【図７９】
2011048576.tif 000084
【図８０】
2011048576.tif 000085
【図８１】
2011048576.tif 000086
【図８２】
2011048576.tif 000087
【図８３】
2011048576.tif 000088
【図８４】
2011048576.tif 000089
【図８５】
2011048576.tif 000090
【図８６】
2011048576.tif 000091
【図８７】
2011048576.tif 000092
【図８８】
2011048576.tif 000093
【図８９】
2011048576.tif 000094
【図９０】
2011048576.tif 000095
【図９１】
2011048576.tif 000096
【図９２】
2011048576.tif 000097
【図９３】
2011048576.tif 000098
【図９４】
2011048576.tif 000099
【図９５】
2011048576.tif 000100
【図９６】
2011048576.tif 000101
【図９７】
2011048576.tif 000102
【図９８】
2011048576.tif 000103
【図９９】
2011048576.tif 000104
【図１００】
2011048576.tif 000105
【図１０１】
2011048576.tif 000106
【図１０２】
2011048576.tif 000107
【図１０３】
2011048576.tif 000108
【図１０４】
2011048576.tif 000109
【図１０５】
2011048576.tif 000110
【図１０６】
2011048576.tif 000111